(57)【要約】      （修正有）【課題】宇宙の場には、１ｍ３にどれだけの原子が存在するか。クエーサーの質量はどのようにできたか。クエーサーの中心のＡ（地表の何倍のエネルギーか）はどのように求められるか。【解決手段】ブラックホールのジェットが届く範囲の原子が集められて、クエーサーはできた。ブラックホール（ブラックホールのＡ＝７．３８７×１０５とする。）の届く半径は一定です。ジェットが届く半径はＡの値で決まる。クエーサーの質量とＡの関係はどのようであるか。ジェットが届いた半径をｒｍとすると、４π÷３×ｒ３×原子数／ｍ３＝クエーサーの原子数。ｒ＝６．９６×１０５Ｋｍ×８４９×クエーサーのＡ÷太陽の中心のＡ＝１．５２６×１０５Ｋｍ×クエーサーのＡ。クエーサーのＡ＝ｒ÷（１．５２６×１０５Ｋｍ）【選択図】図４
2008079498.tif 000002
【特許請求の範囲】
【請求項１】
“超ブラックホール体”を作っているものを、“超ブラックホールの素子”と名づける。
“超ブラックホールの素子”は、宇宙が熱平衡状態の時できた。
“超ブラックホールの素子”は、宇宙が熱平衡状態の時できた、公転軌道が４×１０−１７ｍの電子のラブです。公転軌道が２×１０−２０ｍの陽子のラブです。
この場の電子のラブのエネルギーは、８．６６５×１０−２４Ｊｍ÷（４×１０−１７ｍ）＝２．１６６×１０−７Ｊです。
この場の陽子のラブのエネルギーは、８．６６５×１０−２４Ｊｍ÷（２×１０−２０ｍ）＝４．３３３×１０−４Ｊです。
宇宙が熱平衡状態の時の場は、電子のラブの公転軌道が４×１０−１７ｍの場です。この場が“超ブラックホールの素子”の場です。
“超ブラックホールの素子”が集まって、“超ブラックホール体”ができました。
“超ブラックホール体”から、“ボイドを作った高エネルギーのジェット”が噴出しました。
【請求項２】
“超ブラックホールの素子”のＡはいくらか。
“超ブラックホールの素子”のＡは、Ａ＝１．０５８×１０−１０ｍ÷（４×１０−１７ｍ）＝２．６４５×１０６です。
【請求項３】
“超ブラックホールの素子”でできる“超ブラックホール体”から出るジェットはどこまで届くか。球体の体積はいくらか。
ジェットが届く距離＝太陽の半径×８４９×“超ブラックホール体”のＡ÷太陽の中心のＡ＝６．９６×１０５Ｋｍ×８４９×２．６４５×１０６÷（３．８７２×１０３）＝４．０３７×１０１１Ｋｍ
この球体の体積は、
４÷３×π（４．０３７×１０１１＋３ｍ）３＝２．７５５×１０４４ｍ３です。
【請求項４】
“超ブラックホール体”に集められた原子数はいくらか。太陽の何倍の質量の“超ブラックホール体”ができるか。
１０−１７ｍの場には、１ｍ３に１０２１個の原子が存在します。（これは後述する。）
ジェットが届く体積には、
１０２１個×２．７５５×１０４４ｍ３＝２．７５５×１０６５個の原子が存在する。
これが集まって、“超ブラックホール体”になる。
“超ブラックホール体”は太陽の質量の何倍か。
“超ブラックホール体”の原子数÷太陽の原子数＝２．７５５×１０６５個÷（１．２×１０５７個）＝２．３×１０８
太陽の質量の２．３×１０８倍の“超ブラックホール体”ができます。
そして、更に、太陽の質量の２．３×１０８倍の“超ブラックホール体”の中心部の電子のラブの軌道は収縮します。１０分の１に収縮すると、１０−１８ｍに成ります。電子のラブのエネルギーは１０倍に成ります。陽子のラブのエネルギーも１０倍に成ります。
それで、ジェット噴射は、１０倍遠くまで届きます。
これによって、ジェットが届く球体積は１０３倍になり、１０３倍の原子が集まりました。
“超ブラックホール体”の質量も１０３倍に成り、太陽の質量の２．３×１０１１倍の“超ブラックホール体”ができます。
【請求項５】
太陽の質量のα倍の星の中心のＡは、太陽の中心のＡ×αです。銀河やクエーサーの中心が太陽の質量のβ倍の場合、銀河やクエーサーの中心のＡは、太陽の中心のＡ×βになるのか。
ブラックホールのＡは、太陽のＡの何倍か。
ブラックホールのＡ÷太陽のＡ＝７．３７８×１０５÷（３．８７２×１０３）＝１９０．５
１９０．５倍です。
ブラックホールのＡ＝太陽のＡ×１９０．５
ブラックホールのＡ＝太陽のＡ×１９０．５＝太陽の質量の１９０．５倍の星のＡ
太陽の１９０．５倍以上の星は存在しない。
“超ブラックホール素子”のＡは２．６４５×１０６です。これは太陽のＡの何倍か。
２．６４５×１０６÷（３．８７２×１０３）＝６８３
６８３倍です。
“超ブラックホール素子”のＡ＝太陽のＡ×６８３＝太陽の質量の６８３倍のＡ
宇宙の熱平衡状態のＡ（“超ブラックホール素子”のＡ）は、太陽の６８３倍の質量の星のＡと同じです。
○銀河やクエーサーの中心が太陽の質量のβ倍の場合、銀河やクエーサーの中央のＡは、  太陽の中心のＡ×βになるのか。
太陽の質量の１０９倍のクエーサーの場合。
太陽の質量の１０９倍のクエーサーのＡ＝太陽の中心のＡ×１０９＝３．８７２×１０３×１０９＝３．８７２×１０１２
太陽の質量の１０９倍のクエーサーのＡ＝３．８７２×１０１２となる。
この値は、“超ブラックホール”のＡの値２．６４５×１０６より大きい。
よって、銀河やクエーサーの中心が太陽の質量のβ倍の場合、銀河やクエーサーの中央のＡは、太陽の中心のＡ×βにならない。
【請求項６】
星の生成
▲１▼原始星の生成。
中央のブラックホールや中性子星より、ジェットが噴出し、届いた所に小惑星を作る。
ジェットが届いた所までの原子を集める。
ブラックホールの場合。
ブラックホールのＡ＝７．３７８×１０５
ジェットが届いた距離＝１．１２６×１０１１Ｋｍ
１．１２６×１０１１Ｋｍに小惑星ができる。
▲２▼ジェットが届いた範囲の原子が集まり、原始星の質量ができる。
ブラックホールの場合。
ジェットが届いた球体の体積は、５．９７７×１０４２ｍ３
集まった原子数＝太陽の質量の原子数×星の質量（太陽の質量の倍数）＝１．２×１０５７個×星の質量（太陽の質量の倍数）
１ｍ３の原子数＝集まった原子数÷ジェットが届いた球体の体積＝１．２×１０５７個×星の質量（太陽の質量の倍数）÷（５．９７７×１０４２ｍ３）＝２×１０１４個×星の質量（太陽の質量の倍数）
▲３▼核融合反応がおき、ジェットを噴出する。
このジェットが届いた所に小惑星ができる。
核融合反応が起きる場のＡは、太陽の中心のＡで、３．８７２×１０３です。
ジェットが届いた距離＝６．９６×１０５Ｋｍ×８４９＝５．９０９×１０８Ｋｍ
５．９０９×１０８Ｋｍの所に小惑星ができる。
▲４▼星ができる。星の中でできた中性子は２重構造になっている。２重構造の外側に約半分の中性子があり、内側に約半分の中性子がある。
星の中のＡは、Ａ＝核融合反応が起きる場のＡ（太陽の中心のＡ）×星の質量（太陽の質量の倍数）
星の中でできる中性子の数＝星の質量（太陽の質量の倍数）２×４
▲５▼星が爆発する。星の中心は、６．３５３分の１に収縮する。
爆発後の星の中心のＡ＝太陽の中心のＡ×星の質量が太陽の何倍か×６．３５３
これが、次世代の星の原始星の中心になる。
▲６▼２重構造の中性子の外側の中性子は、電子と陽子に分かれ、元素ができる。
約半数は外側、半数は内側になる。内側の中性子の数は、外側の中性子の数より多い。
【請求項７】
原子核において、中性子の数が陽子の数より多いのはどうしてか。
原子核の中性子の数が陽子の数より多い理由は、星の中央において、２重構造の中性子の内側の軌道のほうが外側の軌道よりエネルギーが大きいので、内側の軌道に存在する中性子の数は、外側の軌道に存在する中性子の数より多く存在できるためです。
【請求項８】
太陽の先祖の星がたどった足跡はどのようであったか。
私は、２００７年６月１５日に提出した特願２００７−１８３７１８の「請求項１５」で、太陽の先祖がたどった足跡を記した。第１世代の星の質量は、太陽の質量の５２．３８倍である。この中でできる中性子の数は、５２．３８×５２．３８×４＝１０９７４です。この中性子でできる元素は、中性子：陽子：電子＝１：１：１であるとすると、原子番号は、１０９７４÷２＝５４８７です。
しかし、このような元素は太陽圏には存在しません。
それで、太陽の先祖の第１世代の星の質量は、太陽の質量の５２．３８倍の星ではない。
太陽の先祖の第１世代の星の中で、Ｒｇ（レントゲニュウム）までの元素ができました。太陽の先祖の第１世代の星の中で、２７２個の中性子ができました。太陽の先祖の第１世代の星の質量は、太陽の（２７２÷４）１／２＝８．２４６倍です。
○太陽の先祖の第１世代の星の生成。
▲１▼第１世代の原始星の生成。
中央のブラックホールより、ジェットが噴出し、届いた所に小惑星を作る。ジェットが届いた所までの原子を集める。
ブラックホールから噴出するジェットの届く距離は、ブラックホールのＡ＝７．３７８×１０５ですから、
ブラックホールから噴出するジェットの届く距離＝太陽の半径×８４９×ブラックホールのＡ÷太陽の中心のＡ＝６．９６×１０５Ｋｍ×８４９×７．３７８×１０５÷（３．８７２×１０３）＝１．１２６×１０１１Ｋｍ
ブラックホールから１．１２６×１０１１Ｋｍの所に小惑星ができた。これは、約１０億才の宇宙でできたので、現在は、溶けてガス状になっている。これは、オールト雲です。
▲２▼ジェットが届いた範囲の原子が集まり、原始星の質量ができる。
集まった原子数＝太陽の質量の原子数×８．２４６＝６×１０２６×１．９８９×１０３０Ｋｇ×８．２４６＝１．２×１０５７個×８．２４６＝９．８９５×１０５７個
ジェットが届いた球体の体積は、
４πｒ３÷３＝４π（１．１２６×１０１１＋３ｍ）３÷３＝５．９７７×１０４２ｍ３です。
５．９７７×１０４２ｍ３から、９．８９５×１０５７個の原子が集まる。
１ｍ３の原子数は、９．８９５×１０５７個÷（５．９７７×１０４２ｍ３）＝１．６５６×１０１５個です。
１ｍ３の原子数が１．６５６×１０１５個の場で第１世代の原始星はできた。
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
５．９０９×１０８Ｋｍの所に小惑星ができた。これが、火星と木星の間の小惑星です。
▲４▼星ができる。星の中でできた中性子は２重構造になっている。
星の中心のＡは、Ａ＝３．８７２×１０３×８．２４６＝３．１９３×１０４です。
これで、星の中に、太陽の中でできる中性子の８．２４６×８．２４６倍までの中性子ができる。
星の中でできる中性子の数＝８．２４６×８．２４６×４個＝２７２個
星の中で、４個から２７２個までの中性子ができる。
この中性子は２重構造になっていて、外側に原子番号と同じ数の中性子がある。
中性子の数が最大の２７２個の場合、１１１個の中性子は外側、１６１個の中性子は内側にある。
▲５▼星が爆発する。
星の中心は、６．３５３分の１に収縮する。
爆発後、星の中心のＡは、Ａ＝３．１９３×１０４×６．３５３＝２．０２９×１０５です。
これが、第２世代の星、太陽の原始星の中心になる。
▲６▼２重構造の中性子の外側の中性子は、電子と陽子に分かれ、元素ができる。
星の中で、４から２７２個までの中性子ができる。約半数は外側、半数は内側になる。
中性子の数が最大の２７２個の場合、外側にある１１１個の中性子は陽子と電子に分かれ、Ｒｇができる。
原子番号が２から１１１までの元素ができる。
○太陽の生成。
▲１▼太陽の原始星の生成。
中央の中性子星より、ジェットが噴出し、届いた所に小惑星を作る。ジェットが届いた所までの原子を集める。
中性子星のＡ＝２．０２９×１０５（但し、太陽の質量の８倍の星が爆発してできる中性子星のＡは、１．９６８×１０５です。）
中性子星から噴出するジェットの届く距離＝太陽の半径×８４９×中性子星のＡ÷太陽の中心のＡ＝６．９６×１０５Ｋｍ×８４９×２．０２９×１０５÷（３．８７２×１０３）＝３．０９６×１０１０Ｋｍ
中性子星から３．０９６×１０１０Ｋｍの所に小惑星ができた。これが、エッジワース・カイパーベルト小惑星です。
▲２▼ジェットが届いた範囲の原子が集まり、原始星の質量ができる。
集まった原子数＝太陽の質量の水素数＝６×１０２６×１．９８９×１０３０Ｋｇ＝１．２×１０５７個
１ｍ３の原子数はいくらか。
ジェットが届いた球体の体積は、
４πｒ３÷３＝４π（３．０９６×１０１０＋３ｍ）３÷３＝１．２４２×１０４１ｍ３です。
１．２４２×１０４１ｍ３から、１．２×１０５７個の水素が集まる。
１ｍ３の水素数は、１．２×１０５７個÷（１．２４２×１０４１ｍ３）＝９．６６２×１０１５個です。
１ｍ３の水素数が９．６６２×１０１５個の場で太陽の原始星はできた。
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
ブラックホールから５．９０９×１０８Ｋｍの所に小惑星ができた。これが、火星と木星の間の小惑星です。
▲４▼太陽ができる。太陽の中でできた中性子は２重構造になっている。
太陽の中心のＡは、３．８７２×１０３です。
太陽の中でできる中性子は４個です。
この中性子は２重構造になっていて、外側に２個の中性子があり、内側に２個の中性子がある。
▲５▼太陽が爆発する。
太陽の中心は、６．３５３分の１に収縮する。
爆発後、太陽の中心のＡは、Ａ＝３．８７２×１０３×６．３５３＝２．４６×１０４です。
これが、太陽の次世代の原始星の中心になる。
▲６▼２重構造の中性子の外側の中性子は、電子と陽子に分かれ、元素ができる。
２重構造の中性子の外側の２個の中性子は、２個の陽子と２個の電子になりＨｅができる。
【請求項９】
太陽の質量の１００倍の星がたどった足跡はどのようであったのか。
○第１世代の星の生成。
▲１▼太陽の質量の１００倍の原始星の生成はブラックホールより生成した。
中央のブラックホールより、ジェットが噴出し、届いた所に小惑星を作る。ジェットが届いた所までの原子を集める。
ブラックホールのＡ＝７．３７８×１０５
ジェットが届いた距離＝１．１２６×１０１１Ｋｍ
１．１２６×１０１１Ｋｍに小惑星ができた。
▲２▼ジェットが届いた範囲の原子が集まり、原始星の質量ができる。
体積＝５．９７７×１０４２ｍ３
集まった原子数＝１．２×１０５７個×１００＝１．２×１０５９個
１ｍ３にあった原子の数＝１．２×１０５９個÷（５．９７７×１０４２ｍ３）＝２．００８×１０１６個
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
５．９０９×１０８Ｋｍに小惑星ができた。
▲４▼星ができる。星の中でできた中性子は２重構造になっている。
星の中心のＡは、Ａ＝３．８７２×１０３×１００＝３．８７２×１０５です。
これで、星の中に、太陽の中でできる中性子の１００×１００倍までの中性子ができる。
星の中でできる中性子の数＝１００×１００×４個＝４００００個
星の中で、４から４００００個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝３．８７２×１０５×６．３５３＝２．４６０×１０６です。
これは、“超ブラックホール”です。
これが、第２世代の原始星の中心になる。
▲６▼２重構造の中性子の外側の中性子は、電子と陽子に分かれ、元素ができる。
４００００個の中性子が２重構造になっている場合、内側に２５０００個、外側に１５０００個の中性子があったと仮定すると、爆発後、原子番号が１５０００の元素ができる。
原子番号が２から１５０００までの元素ができる。
○第２世代の星の生成。
▲１▼第１世代の星が爆発し、その後にできる物は、Ａ＝２．４６０×１０６の“超ブラックホール”です。
この“超ブラックホール”からジェットが噴出し、小惑星を作る。
ジェットが届く距離＝６．９６×１０５Ｋｍ×８４９×２．４６０×１０６÷（３．８７２×１０３）＝３．７５４×１０１１Ｋｍ
▲２▼この場の１ｍ３につき、どれだけの元素や水素（原子）が存在するのかによって、できる星の質量は決定される。
球体の体積＝４π÷３×（３．７５４×１０１１＋３ｍ）３＝２．２１５×１０４４ｍ３
できる星の質量＝球体の体積×１ｍ３の元素や水素の数＝２．２１５×１０４４ｍ３×１ｍ３の元素や水素の数
１ｍ３の元素や水素の数には、１００倍の質量の星が爆発後に、その場に残る元素や水素も含まれる。
【請求項１０】
太陽の質量の３０倍の星がたどった足跡はどのようであったのか。
○第１世代の星の生成。
▲１▼太陽の質量の３０倍の原始星の生成はブラックホールより生成した。
中央のブラックホールより、ジェットが噴出し、届いた所に小惑星を作る。ジェットが届いた所までの原子を集める。
ブラックホールのＡ＝７．３７８×１０５
ジェットが届いた距離＝１．１２６×１０１１Ｋｍ
半径１．１２６×１０１１Ｋｍの所に小惑星ができた。
▲２▼ジェットが届いた範囲の原子が集まり、原始星の質量ができる。
体積＝５．９７７×１０４２ｍ３
集まった原子数＝１．２×１０５７個×３０＝３．６×１０５８個
１ｍ３にあった水素の数＝３．６×１０５８個÷（５．９７７×１０４２ｍ３）＝６．０２３×１０１５個
▲３▼融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
半径５．９０９×１０８Ｋｍの所に小惑星ができた。
▲４▼星ができる。星の中でできた中性子は２重構造になっている。
星の中心のＡは、Ａ＝３．８７２×１０３×３０＝１．１６２×１０５です。
これで、星の中に、太陽の中でできる中性子の３０×３０倍までの中性子ができる。
星の中でできる中性子の数＝３０×３０×４個＝３６００個
星の中で、４から３６００個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝１．１６２×１０５×６．３５３＝７．３８２×１０５です。
これはブラックホールです。
これが、第２世代の原始星の中心になる。
▲６▼２重構造の中性子の外側の中性子は、電子と陽子に分かれ、元素ができる。
３６００個の中性子が２重構造になっている場合、内側に２０００個、外側に１６００個の中性子があったと仮定すると、爆発後、原子番号が１６００の元素ができる。原子番号が２から１６００までの元素ができる。
○第２世代の星の生成。
▲１▼第１世代の星が爆発し、その後にできる物は、Ａ＝７．３８２×１０５のブラックホールです。
このブラックホールからジェットが噴出し、小惑星を作る。
ジェットが届く距離＝６．９６×１０５Ｋｍ×８４９×７．３８２×１０５÷（３．８７２×１０３）＝１．１２７×１０１１Ｋｍ
▲２▼この場に１ｍ３につき、どれだけの元素や水素が存在するのかによって、できる星の質量は決定される。
球体の体積＝４π÷３×（１．１２７×１０１１＋３ｍ）３＝５．９９３×１０４２ｍ３
できる星の質量＝球体の体積×１ｍ３の元素や水素の数＝５．９９３×１０４２ｍ３×１ｍ３の元素や水素の数
１ｍ３の元素や水素の数には、３０倍の質量の星が爆発後に、その場に残る元素や水素も含まれる。
【請求項１１】
太陽の質量の１０倍の星がたどった足跡はどのようであったのか。
○第１世代の星の生成。
▲１▼太陽の質量の１０倍の原始星の生成はブラックホールより生成した。
中央のブラックホールより、ジェットが噴出し、届いた所に小惑星を作る。ジェットが届いた所までの水素を集める。
ブラックホールのＡ＝７．３７８×１０５
ジェットが届いた距離＝１．１２６×１０１１Ｋｍ
半径１．１２６×１０１１Ｋｍの所に小惑星ができた。
▲２▼ジェットが届いた範囲の原子が集まり、原始星の質量ができる。
体積＝５．９７７×１０４２ｍ３
集まった水素数＝１．２×１０５７個×１０＝１．２×１０５８個
１ｍ３にあった水素の数＝１．２×１０５８個÷（５．９７７×１０４２ｍ３）＝２．００８×１０１５個
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
▲４▼星ができる。星の中でできた中性子は２重構造になっている。
星の中心のＡは、Ａ＝３．８７２×１０３×１０＝３．８７２×１０４です。
これで、星の中に、太陽の中でできる中性子の１０×１０倍までの中性子ができる。
星の中でできる中性子の数＝１０×１０×４個＝４００個
星の中で、４から４００個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝３．８７２×１０４×６．３５３＝２．４６０×１０５です。
これが、第２世代の原始星の中心になる。
▲６▼２重構造の中性子の外側の中性子は、電子と陽子に分かれ、元素ができる。
４００個の中性子が２重構造になっている場合、内側に２５０個、外側に１５０個の中性子があったと仮定すると、爆発後、原子番号が１５０の元素ができる。原子番号２から１５０までの元素ができる。
○２世代の星の生成。
１世代の星が爆発後、星の中心のＡ＝２．４６０×１０５で、これからジェットが噴出し、その場に存在する元素と水素があつまり、星の質量に成る。
ジェットが届く距離＝６．９６×１０５Ｋｍ×８４９×２．４６０×１０５÷（３．８７２×１０３）＝３．７５４×１０１０Ｋｍ
ジェットが届く球体の体積＝４π÷３×（３．７５４×１０１０＋３ｍ）３＝２．２１５×１０４１ｍ３
この場の１ｍ３に、何個の原子が存在するかによって、できる星の質量が決定される。
できる星の質量＝球体の体積×１ｍ３の元素や水素の数＝２．２１５×１０４１ｍ３×１ｍ３の元素や水素の数
１ｍ３の元素や水素の数には、１０倍の質量の星が爆発後に、その場に残る元素や水素も含まれる。
【請求項１２】
太陽の質量の８倍の星がたどった足跡はどのようであったのか。
○第１世代の星の生成。
▲１▼太陽の質量の８倍の原始星の生成はブラックホールより生成した。
中央のブラックホールより、ジェットが噴出し、届いた所に小惑星を作る。ジェットが届いた所までの水素を集める。
ブラックホールのＡ＝７．３７８×１０５
ジェットが届いた距離＝１．１２６×１０１１Ｋｍ
半径１．１２６×１０１１Ｋｍの所に小惑星ができた。
▲２▼ジェットが届いた範囲の原子が集まり、原始星の質量ができる。
体積＝５．９７７×１０４２ｍ３
集まった水素数＝１．２×１０５７個×８＝９．６×１０５７個
１ｍ３にあった水素の数＝９．６×１０５７個÷（５．９７７×１０４２ｍ３）＝１．６０６×１０１５個
▲３▼融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
▲４▼星ができる。星の中でできた中性子は２重構造になっている。
星の中心のＡは、Ａ＝３．８７２×１０３×８＝３．０９８×１０４です。
これで、星の中に、太陽の中でできる中性子の８×８倍までの中性子ができる。
星の中でできる中性子の数＝８×８×４個＝２５６個
星の中で、４から２５６個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝３．０９８×１０４×６．３５３＝１．９６８×１０５です。
これは中性子星です。
これが、第２世代の原始星の中心になる。
▲６▼２重構造の中性子の外側の中性子は、電子と陽子に分かれ、元素ができる。
２５６個の中性子が２重構造になっている場合、内側に１５０個、外側に１０６個の中性子があったと仮定すると、爆発後、原子番号が１０６の元素ができる。
原子番号２から１０６までの元素ができる。
○２世代の星の生成。
１世代の星が爆発後、星の中心のＡ＝１．９６８×１０５、これからジェットが噴出し、その場に存在する元素と水素があつまり、星の質量に成る。
ジェットが届く距離＝６．９６×１０５Ｋｍ×８４９×１．９６８×１０５÷（３．８７２×１０３）＝３．００３×１０１０Ｋｍ
ジェットが届く球体の体積＝４π÷３×（３．００３×１０１０＋３ｍ）３＝１．１３４×１０４１ｍ３
この場の１ｍ３に、何個の原子が存在するかによって、できる星の質量が決定される。
できる星の質量＝球体の体積×１ｍ３の元素や水素の数＝１．１３４×１０４１ｍ３×１ｍ３の元素や水素の数
１ｍ３の元素や水素の数には、８倍の質量の星が爆発後に、その場に残る元素や水素も含まれる。
まとめて、表にする。
2008079498.tif 000017
2008079498.tif 000018
【請求項１３】
ブラックホールの場で原始星ができた場合、１ｍ３にどれだけの原子数があったか。
太陽の質量の星がブラックホールの場でできる場合。
ブラックホールでできる球体の体積＝５．９７７×１０４２ｍ３です。
集まった水素数＝１．２×１０５７個です。
１ｍ３の原子数＝１．２×１０５７個÷（５．９７７×１０４２ｍ３）＝２．００８×１０１４個です。
ブラックホールの場でできた星の質量と１ｍ３の原子数
2008079498.tif 000019
ブラックホールの場において、
１ｍ３の原子数が２×１０１６個の軌道では、太陽の質量の１００倍の星ができる。
１ｍ３の原子数が２×１０１５個の軌道では、太陽の質量の１０倍の星ができる。
１ｍ３の原子数が２×１０１４個の軌道では、太陽の質量の星ができる。
ブラックホールの場においてできた星は、集まり、楕円銀河を作った。
【請求項１４】
ブラックホールの場でクエーサーができた場合、１ｍ３にどれだけの原子数があったか。
・太陽の質量の１０９倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０９＝１．２×１０６６個です。
１ｍ３の原子数＝１．２×１０６６個÷（５．９７７×１０４２ｍ３）＝２．００８×１０２３個です。
・太陽の質量の１０８倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０８＝１．２×１０６５個です。
１ｍ３の原子数＝１．２×１０６５個÷（５．９７７×１０４２ｍ３）＝２．００８×１０２２個です。
・太陽の質量の１０７倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０７＝１．２×１０６４個です。
１ｍ３の原子数＝１．２×１０６４個÷（５．９７７×１０４２ｍ３）＝２．００８×１０２１個です。
・太陽の質量の１０６倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０６＝１．２×１０６３個です。
１ｍ３の原子数＝１．２×１０６３個÷（５．９７７×１０４２ｍ３）＝２．００８×１０２０個です。
ブラックホールの場でできたクエーサーの質量と１ｍ３の原子数
2008079498.tif 000020
ブラックホールの場において、
１ｍ３の原子数が２×１０２３個の軌道では、太陽の質量の１０９倍のクエーサーができた。
１ｍ３の原子数が２×１０２２個の軌道では、太陽の質量の１０８倍のクエーサーができた。
１ｍ３の原子数が２×１０２１個の軌道では、太陽の質量の１０７倍のクエーサーができた。
１ｍ３の原子数が２×１０２０個の軌道では、太陽の質量の１０６倍のクエーサーができた。
【請求項１５】
ブラックホールの素子の時代＝電子のラブの公転軌道が１０−１６ｍの時代の宇宙。
電子のラブの公転軌道が１０−１６ｍの時代の宇宙において、
１ｍ３の原子数が２×１０２３個の軌道において、太陽の質量の１０９倍のクエーサーができた。
１ｍ３の原子数が２×１０２２個の軌道において、太陽の質量の１０８倍のクエーサーができた。
１ｍ３の原子数が２×１０２１個の軌道において、太陽の質量の１０７倍のクエーサーができた。
１ｍ３の原子数が２×１０２０個の軌道において、太陽の質量の１０６倍のクエーサーができた。
１ｍ３の原子数が２×１０１６個の軌道において、太陽の質量の１００倍の星ができた。
１ｍ３の原子数が２×１０１５個の軌道において、太陽の質量の１０倍の星ができた。
１ｍ３の原子数が２×１０１４個の軌道において、太陽の質量の星ができた。
ブラックホールの場においてできた星は、集まり、楕円銀河を作った。
１０−１６ｍの時代、宇宙は、軌道を作っていた。その軌道は、原子数の密度で表現できる。
宇宙の中央ほど原子の密度は大きくなる。中央から離れるほど原子の密度は小さくなる。
原子の密度を１ｍ３の原子数で表示する。
１０−１６ｍの時代、宇宙の中央は、１ｍ３の原子数が２×１０２３個の軌道であった。この軌道で、太陽の質量の１０９倍のクエーサーができた。
中央から離れるに従って、原子の密度は小さくなり、２×１０２２個の軌道→２×１０２１個の軌道→２×１０２０個の軌道→２×１０１９個の軌道→２×１０１８個の軌道→２×１０１７個の軌道→２×１０１６個の軌道→２×１０１５個の軌道→２×１０１４個の軌道→２×１０１３個の軌道→２×１０１２個の軌道となっている。
【請求項１６】
クエーサーの中央部の過去と未来。
宇宙の時代を電子のラブの公転軌道で示し、各々の時代の軌道を１ｍ３の原子数で示す。
但し、倍数は太陽の質量の倍数を示す。
2008079498.tif 000021
2008079498.tif 000022
2008079498.tif 000023
2008079498.tif 000024
【請求項１７】
宇宙の年齢における、電子の公転軌道、何がおきたか、１ｍ３の最高原子数、クエーサーや銀河の中心部の最高質量。
１０−１６ｍの時代を１０８歳、１０−１５ｍの時代を１０９歳、１０−１４ｍの時代を１０１０歳、と考える。
2008079498.tif 000025
2008079498.tif 000026
【請求項１８】
宇宙の時代において、どの空間でも１ｍ３の原子数は一定である。宇宙の時代における１ｍ３の原子数はいくらか。
１０−１６ｍの時代の宇宙は、どの空間でも１ｍ３に原子は１０１８個存在した。１ｍ３の原子数は１０１８個だった。
１０−１５ｍの時代の宇宙は、どの空間でも１ｍ３に原子は１０１５個存在した。１ｍ３の原子数は１０１５個だった。
１０−１４ｍの時代の宇宙は、どの空間でも１ｍ３に原子は１０１２個存在した。１ｍ３の原子数は１０１２個だった。
１ｍ３の原子数について。
星が生成した時、ブラックホールの場でできたとすると、太陽の質量の１００倍の星は、１ｍ３に原子数が２×１０１６個存在する場ででき、太陽の質量の１０倍の星は、１ｍ３に原子数が２×１０１５個存在する場ででき、太陽と同じ星は、１ｍ３に原子数が２×１０１４個存在する場でできる、と理解した。
それで、星は１０−１５ｍの時代にできますから、１０−１５ｍの時代において、１ｍ３の原子数は１０１５個であるとします。
そうすると、１０−１６ｍの時代は、１ｍ３の原子数は１０１８個です。
１０−１４ｍの時代は、１ｍ３の原子数は１０１２個です。
この事を基に、クエーサーや星は、どれだけの体積の原子を集めてできたか計算します。
【請求項１９】
太陽の質量のα倍の星ができるためには、どれ位の体積の原子を集めたらよいか。それは半径何Ｋｍか。
星は１０−１５ｍの時代にできた。
１０−１５ｍの時代、宇宙はどの場でも、１ｍ３に１０１５個の原子が存在していたとします。
星の原子数＝太陽の原子数×α＝１．２×１０５７個×α
体積をｘｍ３とします。
１０１５個×ｘｍ３＝１．２×１０５７個×α
ｘｍ３＝１．２×１０５７個×α÷１０１５個＝１．２×１０４２×α
体積は、１．２×１０４２×αｍ３です。
４π÷３×ｒ３＝１．２×１０４２×αｍ３
ｒ３＝１．２×１０４２×αｍ３÷４π×３＝２．８６６×１０４１×αｍ３
ｒ＝（２．８６６×１０４１×αｍ３）１／３
ｒ＝６．６×１０１３×α１／３ｍ＝６．６×１０１０×α１／３Ｋｍ
半径は、６．６×１０１０×α１／３Ｋｍです。
・太陽の質量の３０倍の星ができる時、原子はどれ位の体積から集められるか。その半径は何Ｋｍか。
体積は、１．２×１０４２×３０ｍ３＝３．６×１０４３ｍ３です。
半径は、６．６×１０１０×３０１／３Ｋｍ＝６．６×１０１０×３．１１Ｋｍ＝２．０５３×１０１１Ｋｍです。
・太陽の質量の１０倍の星ができる時、原子はどれ位の体積から集められるか。その半径は何Ｋｍか。
体積は、１．２×１０４２×１０ｍ３＝１．２×１０４３ｍ３です。
半径は、６．６×１０１０×１０１／３Ｋｍ＝６．６×１０１０×２．１５５Ｋｍ＝１．４２２３×１０１１Ｋｍです。
・太陽の質量の８．２４６倍の星ができる時、原子はどれ位の体積から集められるか。その半径は何Ｋｍか。
体積は、１．２×１０４２×８．２４６ｍ３＝９．８９５×１０４２ｍ３です。
半径は、６．６×１０１０×８．２４６１／３Ｋｍ＝６．６×１０１０×２．０２Ｋｍ＝１．３３３×１０１１Ｋｍです。
ブラックホールでできるジェットが届く半径は１．１×１０１１Ｋｍですから、これはその値にやや等しい。
【請求項２０】
中心部が太陽の質量のβ倍のクエーサーができるためには、どれ位の体積の原子を集めたらよいか。それは半径何Ｋｍか。
クエーサーは１０−１６ｍの時代にできた。
１０−１６ｍの時代、宇宙はどの場でも、１ｍ３に１０１８個の原子が存在していたとします。
星の原子数＝太陽の原子数×β＝１．２×１０５７個×β
体積をｘｍ３とします。
１０１８個×ｘｍ３＝１．２×１０５７個×β
ｘｍ３＝１．２×１０５７個×β÷１０１８個＝１．２×１０３９×β
体積は、１．２×１０３９×βｍ３です。
４π÷３×ｒ３＝１．２×１０３９×βｍ３
ｒ３＝１．２×１０３９×βｍ３÷４π×３＝２．８６６×１０３８×βｍ３
ｒ＝（２．８６６×１０３８×βｍ３）１／３
ｒ＝６．６×１０１２×β１／３ｍ＝６．６×１０９×β１／３Ｋｍ
半径は、６．６×１０９×β１／３Ｋｍです。
・中心部が太陽の質量の１０９倍のクエーサーができる時、原子はどれ位の体積から集められるか。その半径は何Ｋｍか。
体積は、１．２×１０３９×１０９ｍ３＝１．２×１０４８ｍ３です。
半径は、６．６×１０９×１０９÷３Ｋｍ＝６．６×１０１２Ｋｍです。
・中心部が太陽の質量の１０８倍のクエーサーができる時、原子はどれ位の体積から集められるか。その半径は何Ｋｍか。
体積は、１．２×１０３９×１０８ｍ３＝１．２×１０４７ｍ３です。
半径は、６．６×１０９×１０８÷３Ｋｍ＝６．６×１０９×１０２×１００１／３＝６．６×１０１１×４．６４３＝３．０６４×１０１２Ｋｍです。
・中心部が太陽の質量の１０７倍のクエーサーができる時、原子はどれ位の体積から集められるか。その半径は何Ｋｍか。
体積は、１．２×１０３９×１０７ｍ３＝１．２×１０４６ｍ３です。
半径は、６．６×１０９×１０７÷３Ｋｍ＝６．６×１０９×１０２×１０１／３Ｋｍ＝６．６×１０１１×２．１５５Ｋｍ＝１．４２２×１０１２Ｋｍです。
・太陽の質量の１００倍の星ができる時、原子はどれ位の体積から集められるか。その半径は何Ｋｍか。
体積は、１．２×１０３９×１０２ｍ３＝１．２×１０４１ｍ３です。
半径は、６．６×１０９×１００１／３Ｋｍ＝６．６×１０９×４．６４３Ｋｍ＝３．０６４×１０１０Ｋｍです。
・太陽の質量の１０倍の星ができる時、原子はどれ位の体積から集められるか。その半径は何Ｋｍか。
体積は、１．２×１０３９×１０ｍ３＝１．２×１０４０ｍ３です。
半径は、６．６×１０９×１０１／３Ｋｍ＝６．６×１０９×２．１５５Ｋｍ＝１．４２２×１０１０Ｋｍです。
・太陽と同じ星ができる時、原子はどれ位の体積から集められるか。その半径は何Ｋｍか。
体積は、１．２×１０３９×１ｍ３＝１．２×１０３９ｍ３です。
半径は、６．６×１０９×１１／３Ｋｍ＝６．６×１０９Ｋｍです。
１０−１６ｍの時代、どこでも１ｍ３に１０１８個の原子が存在している場合、原子が集められた体積と半径。
2008079498.tif 000027
【請求項２１】
太陽はどのようにできたか。
太陽は１０−１４ｍの時代にできた。この場は、全ての所で、１ｍ３に１０１２個の原子があります。
太陽ができる時、原子はどれ位の体積から集められるか。その半径は何Ｋｍか。
太陽の原子数＝１．２×１０５７個
体積は、１．２×１０５７個÷１０１２個＝１．２×１０４５ｍ３です。
半径は、４πｒ３＝１．２×１０４５ｍ３
ｒ３＝２．８６６×１０４４
ｒ＝６．６×１０１１Ｋｍです。
これでは半径が大きすぎます。
太陽は、１０９年から１０１０年の間にできた。この場の原子の密度は、１０１５個／ｍ３から１０１２個／ｍ３です。
太陽は、１０１４個／ｍ３の場でできたと考えられます。
中性子星のジェットが届く範囲の原子が集められたと考えられます。
【請求項２２】
クエーサーのＡはどのように求められるのか。
１０−１６ｍの時代、宇宙はどの場でも、１ｍ３に１０１８個の原子が存在していたとします。
中心部が太陽の質量の１０９倍のクエーサーは、半径６．６×１０１２Ｋｍの原子を集めてできた。
もし、これがジェットで集められたとしたならば、ジェットは半径６．６×１０１２Ｋｍまで届いた事に成ります。
クエーサーのＡはどれ位か。
ジェットの届く距離＝６．９６×１０５Ｋｍ×８４９×クエーサーのＡ÷（３．８７２×１０３）＝６．６×１０１２Ｋｍ
クエーサーのＡ＝６．６×１０１２Ｋｍ÷（６．９６×１０５Ｋｍ×８４９）×３．８７２×１０３＝４．３２５×１０７
中心部が太陽の質量の１０９倍のクエーサーのＡは、４．３２５×１０７です。
この値は、Ａ＝太陽の中心のＡ×クエーサーの太陽の質量の倍数＝３．８７２×１０３×１０９＝３．８７２×１０１２ではありません。
それでは、クエーサーの場合は、どのような式でＡが求められるのでしょうか。
クエーサーのジェットが届く範囲の原子が集められた。
クエーサーのジェットが届く距離＝ｒ＝６．６×１０９×β１／３Ｋｍですから、
６．９６×１０５Ｋｍ×８４９×クエーサーのＡ÷（３．８７２×１０３）＝６．６×１０９×β１／３Ｋｍ
クエーサーのＡ＝６．６×１０９×β１／３Ｋｍ÷（６．９６×１０５Ｋｍ×８４９）×３．８７２×１０３＝４．３２５×１０４×β１／３
中心部が太陽の質量のβ倍のクエーサーや銀河のＡの値は、
Ａ＝４．３２５×１０４×β１／３です。
これは、太陽の中心の何倍か。
４．３２５×１０４×β１／３÷（３．８７２×１０３）＝１１．１７×β１／３
１１．１７×β１／３倍です。
それで、太陽の中心のＡを用いて、中心部が太陽の質量のβ倍のクエーサーや銀河の中心のＡを求める式は、
クエーサーのＡ＝太陽の中心のＡ×１１．１７×β１／３です。
これで、中心部が太陽の質量のβ倍のクエーサーや銀河の中心のＡは、太陽の質量の１１．１７×β１／３倍の星のＡと同じ値に成ります。
中心部が太陽の質量の１０９倍のクエーサーのＡは、太陽の質量の、１０９÷３×１１．１７＝１．１１７×１０４倍の星のＡと同じ値に成ります。
中心部は太陽の質量の１０８倍のクエーサーのＡは、太陽の質量の、１０８÷３×１１．１７＝１００１／３×１０２×１１．１７＝４．６４３×１０２×１１．１７＝５．１８６×１０３倍の星のＡと同じ値に成ります。
【請求項２３】
クエーサーや銀河の中心のＡ＝β１／３×１１．１７×太陽の中心のＡ  の式は何を意味するのか。
クエーサーや銀河の中心の電子のラブの公転軌道＝１．０５８×１０−１０ｍ÷Ａ＝１．０５８×１０−１０ｍ÷太陽の中心のＡ÷１１．１７÷β１／３＝１．０５８×１０−１０ｍ÷（太陽の中心のＡ×１１．１７）÷β１／３
この事は、クエーサーや銀河の中心の電子のラブの公転軌道は、太陽の質量の１１．１７倍の星の中心の電子のラブの公転軌道のβ１／３分の１です。
クエーサーや銀河の中心のＡ＝β１／３×１１．１７×太陽の中心のＡ＝β１／３×（太陽の中心のＡ×１１．１７）
この事は、クエーサーや銀河の中心のＡは、太陽の質量の１１．１７倍の星の中心のＡのβ１／３倍です。
【請求項２４】
電子のラブのエネルギーとジェットの届く距離の関係はどのようになっているか。
ジェットの届く距離＝６．９６×１０５Ｋｍ×８４９×Ａ÷（３．８７２×１０３）＝１．５２６×１０５Ｋｍ×Ａ
電子のラブの公転軌道＝１．０５８×１０−１０ｍ÷Ａ
電子のラブのエネルギー＝８．６６５×１０−２４Ｊｍ÷（１．０５８×１０−１０ｍ÷Ａ）＝８．１９０×１０−１４Ｊ×Ａ
電子のラブのエネルギーが８．１９０×１０−１４Ｊ×Ａの時。ジェットが届く距離は１．５２６×１０５Ｋｍ×Ａです。
電子のラブのエネルギーが、１Ｊのとき、８．１９０×１０−１４Ｊ×Ａ＝１Ｊ
Ａ＝１Ｊ÷（８．１９０×１０−１４Ｊ）＝１．２２１×１０１３
ジェットが届く距離は、１．５２６×１０５Ｋｍ×Ａ＝１．５２６×１０５Ｋｍ×１．２２１×１０１３＝１．８６３×１０１８Ｋｍです。
クエーサーの中央部が地球の質量の１０７倍の時、電子のラブのエネルギーは、７．６３４×１０−７Ｊですから、（この事は後述する）ジェットが届く距離は、１．８６３×１０１８Ｋｍ×７．６３４×１０−７Ｊ＝１．４２２×１０１２Ｋｍです。
よって、電子のラブのエネルギーとジェットの届く距離の関係は、
ジェットが届く距離＝電子のラブのエネルギー×１．８６３×１０１８Ｋｍです。
【請求項２５】
クエーサーの生成。
クエーサーは、初め、ブラックホールの素子が集まって、ジェット噴射した。そのジェット噴射により、半径１．１２６×１０１１Ｋｍまでの球体の原子が集まってきた。この場は１０−１６ｍの時代で、１ｍ３の原子数はどこでも、１０１８個であるとする。半径１．１２６×１０１１Ｋｍまでの球体の原子が集まると、太陽の何倍の質量のクエーサーができるか。
半径１．１２６×１０１１Ｋｍまでの球体の原子数÷太陽の原子数＝４×π÷３×（１．１２６×１０１１＋３ｍ）３×１０１８個÷（１．２×１０５７個）＝５．９７７×１０３
太陽の質量の５．９７７×１０３倍のクエーサーができる。
太陽の質量の５．９７７×１０３倍のクエーサーができると、中心部の電子は公転軌道が小さくなり、エネルギーは大きくなる。それで、ジェットが届く距離も大きくなる。ジェットが届く距離が大きくなると、その球体から更に原子が集められ、クエーサーの原子数は増加する。中心部の原子数も増加する。
このようにして、クエーサーの中心部の原子数は、太陽の質量の１０４倍→太陽の質量の１０５倍→太陽の質量の１０６倍→太陽の質量の１０７倍→太陽の質量の１０８倍→太陽の質量の１０９倍と増加する。
【請求項２６】
クエーサーの中心部の質量と、中心部のＡと、中心部の電子のラブの公転軌道と、中心部の電子のラブのエネルギーと、ジェットが届く距離と、中心部の１ｍ３の原子数と、温度はどのようであるか。
次の式によって、求める。中心部の質量が太陽のβ倍の時。
中心部のＡ＝４．３２５×１０４×１０β÷３
中心部の電子のラブの公転軌道＝１．０５８×１０−１０ｍ÷中心部のＡ
中心部の電子のラブのエネルギー＝８．６６５×１０−２４Ｊｍ÷中心部の電子のラブの公転軌道
ジェットが届く距離＝電子のラブのエネルギー×１．８６３×１０１８Ｋｍ
中心部の１ｍ３の原子数＝（１０−１６ｍ÷電子のラブの公転軌道）３×１０１８個
温度＝Ａ２℃
表に示す。
2008079498.tif 000028
2008079498.tif 000029
クエーサーの中心部の原子数は、太陽の質量の１０４倍→太陽の質量の１０５倍→太陽の質量の１０６倍→太陽の質量の１０７倍→太陽の質量の１０８倍→太陽の質量の１０９倍と増加する。
その時のクエーサーの中心部の状態は表のようになっている。
即ち、クエーサーの中心部の質量が太陽の１０４倍に成った時、電子のラブの公転軌道は１．１３５×１０−１６ｍになり、電子のラブのエネルギーは７．６３４×１０−８Ｊになり、ジェットの届く距離は１．３１０×１０１１Ｋｍになり、中央の１ｍ３の原子数は６．８３８×１０１７個になり、温度は８．６８６×１０１１℃になる。
更に、クエーサーの中心部の電子のラブのエネルギーは大きくなり、ジェットの届く距離も長くなり、たくさんの元素を集める。
クエーサーの中心部の質量が太陽の１０５倍に成った時、電子のラブの公転軌道は５．２６９×１０１７ｍになり、電子のラブのエネルギーは１．６４５×１０−７Ｊになり、ジェットの届く距離は３．０６５×１０１１Ｋｍになり、中心部の１ｍ３の原子数は６．８３７×１０１７個になり、温度は４．０３２×１０１２℃になる。
【請求項２７】
宇宙の過去と未来はどのようであるか。
宇宙の時代は、電子のラブの公転軌道で表示できる。
それで、宇宙の時代のエネルギーは、電子のラブのエネルギーによって理解できる。
宇宙の時代のエネルギーは、１原子のエネルギーによって理解できる。
宇宙の時代の１ｍ３の原子数は一定であると理解できた。
宇宙の時代の１ｍ３のエネルギーは、その時代の１原子のエネルギー×その時代の１ｍ３の原子数で理解できる。
宇宙の時代の半径は、光子が走った距離によって理解できる。
宇宙の時代の体積は、その時代に走った距離の球体として理解できる。
宇宙の時代の全体の原子数は、その時代の１ｍ３の原子数×その時代の球体の体積で理解できる。
宇宙の時代の全体のエネルギーは、その時代の１原子のエネルギー×その時代の全体の原子数で理解できる。
これらの事を、１０−１６ｍの時代を例とし、説明する。
・宇宙の時代は、電子のラブの公転軌道で表示できる。
宇宙が１０８歳の時、電子のラブの公転軌道は、１０−１６ｍでした。この時を１０−１６ｍの時代とする。
・宇宙の時代のエネルギーは、電子のラブのエネルギーによって理解できる。
１０−１６ｍの時代の電子のラブのエネルギーは、
８．６６５×１０−２４Ｊｍ÷１０−１６ｍ＝８．６６５×１０−８Ｊです。表では、８．６６５×１０−８Ｊ＝０．８６６５×１０−７Ｊとした。
・宇宙の時代のエネルギーは、１原子のエネルギーによって理解できる。
１原子の質量は、１電子の質量の、
１原子の質量÷１電子の質量＝１．６６０６×１０−２４ｇ÷（９．１０９５×１０−２８ｇ）＝１．８２３×１０３倍です。
エネルギーは、１．８２３×１０３倍です。
宇宙の時代の１原子のエネルギーは、電子のラブのエネルギー×１．８２３×１０３です。
１０−１６ｍの時代の１原子のエネルギー＝８．６６５×１０−８Ｊ×１．８２３×１０３＝１．５８×１０−４Ｊです。
・宇宙の時代の１ｍ３の原子数は一定であると理解できた。
１０−１６ｍの時代の１ｍ３の原子数は１０１８個で一定である。
・宇宙の時代の体積は、その時代に走った距離の球体として理解できる。
１０ａ年の体積は、１０ａ年の体積−１０ａ−１年の体積です。
１０ａ年の体積は、半径は１０ａ年間光速で走った距離の球体です。
１０ａ年の体積は、４π÷３×ｒ３＝４π÷３×（１０ａ×９．４６１×１０１５ｍ）３＝３．５４６×１０３ａ×１０５２ｍ３
１０ａ−１年の体積は、４π÷３×ｒ３＝４π÷３×（１０ａ−１×９．４６１×１０１５ｍ）３＝３．５４６×１０３ａ×１０４９ｍ３
１０ａ年の体積−１０ａ−１年の体積＝３．５４６×１０３ａ×１０５２ｍ３−（３．５４６×１０３ａ×１０４９ｍ３）＝３．５４６×１０３ａ×１０４９×（１０００−１）ｍ３＝３．５４６×１０３ａ×１０４９×９９９＝３．５４２×１０３ａ×１０５２ｍ３
例えば、１０−１６ｍの時代の１０８歳の宇宙の球体の体積は、
３．５４２×１０３ａ×１０５２ｍ３＝３．５４２×１０３×８×１０５２ｍ３＝３．５４２×１０７６ｍ３です。
・宇宙の時代の全体の原子数は、その時代の１ｍ３の原子数×その時代の球体の体積で理解できる。
１０−１６ｍの時代の全体の原子数＝その時代の１ｍ３の原子数×その時代の球体の体積＝１０１８個×３．５４２×１０７６ｍ３＝３．５４２×１０９４個です。
・宇宙の時代の全体のエネルギーは、その時代の１原子のエネルギー×その時代の全体の原子数で理解できる。
１０−１６ｍの時代の全体のエネルギー＝その時代の１原子のエネルギー×その時代の全体の原子数＝１．５８×１０−４Ｊ×３．５４２×１０９４個＝５．５９６×１０９０Ｊです。
これらの事から、宇宙の過去と未来の様子を表にする。
2008079498.tif 000030
2008079498.tif 000031
【請求項２８】
宇宙の時代を電子のラブの公転軌道で表した場合、時代の原子が集まってできるものは何か。
・１０−１７ｍの時代、原子のＡは、Ａ＝１．０５８×１０−１０ｍ÷１０−１７ｍ＝１．０５８×１０７です。
これは、中心が太陽の質量の何倍のクエーサーのＡか。β倍の質量だとしますと、
クエーサーのＡ＝４．３２５×１０４×β１／３ですから、
１．０５８×１０７＝４．３２５×１０４×β１／３
β１／３＝１．０５８×１０７÷（４．３２５×１０４）＝２．４４６×１０２
β＝（２．４４６×１０２）３＝１．４６３×１０７
１０−１７ｍの時代、原子が集まって、中心が太陽の質量の１．４６３×１０７倍のクエーサーができる。
・１０−１６ｍの時代、原子のＡは、Ａ＝１．０５８×１０−１０ｍ÷１０−１６ｍ＝１．０５８×１０６です。
これは、中心が太陽の質量の何倍のクエーサーのＡか。β倍の質量だとしますと、
クエーサーのＡ＝４．３２５×１０４×β１／３ですから、
１．０５８×１０６＝４．３２５×１０４×β１／３
β１／３＝１．０５８×１０６÷（４．３２５×１０４）＝２．４４６×１０
β＝（２．４４６×１０）３＝１．４６３×１０４
１０−１６ｍの時代、原子が集まって、中心が太陽の質量の１．４６３×１０４倍のクエーサーができる。
・１０−１５ｍの時代、原子のＡは、Ａ＝１．０５８×１０−１０ｍ÷１０−１５ｍ＝１．０５８×１０５です。
これは、中心が太陽の質量の何倍の星のＡか。α倍の質量だとしますと、
α＝１．０５８×１０５÷太陽の中心のＡ＝１．０５８×１０５÷（３．８７２×１０３）＝２．７３２×１０
１０−１５ｍの時代、原子が集まって、中心が太陽の質量の２．７３２×１０倍の星ができる。
・１０−１４ｍの時代、原子のＡは、Ａ＝１．０５８×１０−１０ｍ÷１０−１４ｍ＝１．０５８×１０４です。
これは、中心が太陽の質量の何倍の星のＡか。α倍の質量だとしますと、
α＝１．０５８×１０５÷太陽の中心のＡ＝１．０５８×１０５÷（３．８７２×１０４）＝２．７３２
１０−１４ｍの時代、原子が集まって、中心が太陽の質量の２．７３２倍の星ができる。
【請求項２９】
ジェットが当たった時、その場にできるものは何か。
１０−１７ｍの時代、ジェットが当たった場にできるものはクエーサーの中心です。
１０−１６ｍの時代、ジェットが当たった場にできるものは星です。
１０−１５ｍの時代、ジェットが当たった場にできるものは小惑星です。
ジェットが当たった場に有った原子のＡがどれぐらいであるかによって、できるものが異なる。
・１０−１７ｍの時代、ジェットが当たった場に有った原子は、１０−１６ｍの原子だとする。
１０−１６ｍの原子が集まって、中心が太陽の質量の１．４６３×１０４倍のクエーサーができることになります。
しかし、この場の１ｍ３の原子数は１０１８個なので、１０−１５ｍの場の原子濃度の１０３倍なので、クエーサーの質量も１０３倍になり、中心が太陽の質量の１．４６３×１０５倍のクエーサーができることになります。
・１０−１６ｍの時代、ジェットが当たった場に有った原子は、１０−１５ｍの原子だとする。
１０−１５ｍの原子が集まって、中心が太陽の質量の２．７３２×１０倍の星ができることになります。
・１０−１５ｍの時代、ジェットが当たった場に有った原子は、１０−１４ｍの原子だとする。
１０−１４ｍの原子が集まって、中心が太陽の質量の２．７３２倍の星ができることになります。
しかし、この場の１ｍ３の原子数は１０１２個なので、質量は１０００分の１になり、星はできず小惑星ができる。
・１０−１４ｍの時代、ジェットが当たった場に有った原子は、１０−１３ｍの原子だとする。
１０−１３ｍの原子が集まって、中心が太陽の質量の０．２７３２倍の惑星ができることになります。
しかし、この場の１ｍ３の原子数は１０９個なので、質量は１０６分の１で、惑星はできず小惑星ができる。
【請求項３０】
棒渦巻銀河はどのようにできたか。
１０−１６ｍの時代、ジェットが当たった場にできるものは星です。
棒渦巻銀河の外側の星はこのようにできた。
棒渦巻銀河はつぎのようにできた。
１０−１６ｍの時代、中央のブラックホールから噴出する範囲の原子が集められたので、その範囲には原子が存在しない。中央部の電子のラブの公転軌道が縮小し、ジェットは更に遠くまで届き、その場の“ブラックホールの素子”を集め、原始星を作った。原始星は星に成った。
この事によって、棒渦巻銀河は１０−１６ｍのジェットによりできた事が理解できる。
【発明の詳細な説明】
【技術分野】
【０００１】  この発明は、熱平衡状態、星の生成、原子核の中性子の数と陽子の数、クエーサーの生成、１ｍ３の原子数、楕円銀河、棒渦巻銀河、宇宙の過去と未来に関する。
【背景技術】
【０００２】熱平衡状態については詳しく理解されていない。原子核の中性子の数が陽子の数より多い原因については理解されていない。星の生成と１ｍ３の原子数については理解されていない。クエーサーの生成と１ｍ３の原子数については理解されていない。太陽の質量の１００倍の星が爆発後、どのようになるのかは理解されていない。宇宙の時代において、１ｍ３の原子数は理解されていない。
【発明の開示】
私は、２００７年６月１５日に提出した、特願２００７−１８３７１８の「請求項１５」において、太陽の先祖がたどった足跡について、第１世代の星の質量を５２．３８倍にした。
この星の中でできる中性子の数は、太陽の中でできる中性子の数の５２．３８×５２．３８倍であり、５２．３８×５２．３８×４＝１０９７４個です。この星が爆発してできる元素は、単純に中性子：陽子＝１：１であるとすると、原子番号は、１０９７４÷２＝５４８７です。
しかし、このような元素は太陽圏には存在しません。
それで、太陽の祖先の第１世代の星は、太陽の質量の８．２４６倍の星です。
又、「請求項１４」星の生成について再考察します。
更に、「請求項３６」ボイドができた時、１ｍ３にどれだけの電子のラブと陽子のラブが存在したか。の答えを４３．３個としましたが、これは誤りです。
１ｍ３の原子数について再考察する。
星の生成について再考察する。
クエーサーの生成について再考察する。
【発明が解決しようとする課題】
【０００３】１．“超ブラックホール体”を作っているものを、“超ブラックホールの素子”と名づける。
２．“超ブラックホールの素子”のＡはいくらか。
３．“超ブラックホールの素子”でできる“超ブラックホール体”から出るジェットはどこまで届くか。球体の体積はいくらか。
４．“超ブラックホール体”に集められた原子数はいくらか。太陽の何倍の質量の“超ブラックホール体”ができるか。
５．太陽の質量のα倍の星の中心のＡは、太陽の中心のＡ×αです。銀河やクエーサーの中心が太陽の質量のβ倍の場合、銀河やクエーサーの中心のＡは、太陽の中心のＡ×βになるのか。
６．星の生成。
７．原子核において、中性子の数が陽子の数より多いのはどうしてか。
８．太陽の先祖の星がたどった足跡はどのようであったか。
９．太陽の質量の１００倍の星がたどった足跡はどのようであったのか。
１０．太陽の質量の３０倍の星がたどった足跡はどのようであったのか。
１１．太陽の質量の１０倍の星がたどった足跡はどのようであったのか。
１２．太陽の質量の８倍の星がたどった足跡はどのようであったのか。
１３．ブラックホールの場で原始星ができた場合、１ｍ３にどれだけの原子数があったか。
１４．ブラックホールの場でクエーサーができた場合、１ｍ３にどれだけの原子数があったか。
１５．ブラックホールの素子の時代＝電子のラブの公転軌道が１０−１６ｍの時代の宇宙。
１６．クエーサーの中央部の過去と未来。
１７．宇宙の年齢における、電子の公転軌道、何がおきたか、１ｍ３の最高原子数、クエーサーや銀河の中心部の最高質量。
１８．宇宙の時代において、どの空間でも１ｍ３の原子数は一定である。宇宙の時代における１ｍ３の原子数はいくらか。
１９．太陽の質量のα倍の星ができるためには、どれ位の体積の原子を集めたらよいか。それは半径何Ｋｍか。
２０．中心部が太陽の質量のβ倍のクエーサーができるためには、どれ位の体積の原子を集めたらよいか。それは半径何Ｋｍか。
２１．太陽はどのようにできたか。
２２．クエーサーのＡはどのように求められるのか。
２３．クエーサーや銀河の中心のＡ＝β１／３×１１．１７×太陽の中心のＡ  の式は何を意味するのか。
２４．電子のラブのエネルギーとジェットの届く距離の関係はどのようになっているか。
２５．クエーサーの生成。
２６．クエーサーの中心部の質量と、中心部のＡと、中心部の電子のラブの公転軌道と、中心部の電子のラブのエネルギーと、ジェットが届く距離と、中心部の１ｍ３の原子数と、温度はどのようであるか。
２７．宇宙の過去と未来はどのようであるか。
２８．宇宙の時代を電子のラブの公転軌道で表した場合、時代の原子が集まってできるものは何か。
２９．ジェットが当たった時その場にできるものは何か。
３０．棒渦巻銀河はどのようにできたか。
【課題を解決するための手段】
【０００４】１０−１６ｍの時代は、ブラックホールの時代です。この場には、公転軌道が１０−１６ｍの電子のラブが存在した。
同様に、１０−１７ｍの時代を、“超ブラックホールの時代”とする。この場は、熱平衡状態の場で、公転軌道が４×１０−１７ｍの電子のラブが存在した。
クエーサーはどのようにできたか。Ａ、Ｂ、Ｃ、の順に考える。１ｍ３の原子数により考える。
Ａは、１０−１６ｍの時代、“超ブラックホール体”から離れるほど１ｍ３の原子数は減少するとする。
クエーサーは、ブラックホール体から出るジェットが届く範囲の原子が集合してできた。
ジェットが届く半径は１．１２６×１０１１Ｋｍで、体積は、５．９７７×１０４２ｍ３です。この球体に存在する原子が集められてクエーサーの質量ができた。
それでは、太陽の質量の１０９倍のクエーサーができたのは、１ｍ３の原子数がいくらの場でできたか。
太陽の質量の１０８倍のクエーサーができたのは、１ｍ３の原子数がいくらの場でできたか。
太陽の質量の１０７倍のクエーサーができたのは、１ｍ３の原子数がいくらの場でできたか。
Ｂは、１０−１６ｍの時代、どこの場所でも、１ｍ３の原子数は１０１８個であるとする。
それでは、太陽の質量の１０９倍のクエーサーは、どれだけの体積の原子でできたか。
太陽の質量の１０８倍のクエーサーは、どれだけの体積の原子でできたか。
太陽の質量の１０７倍のクエーサーは、どれだけの体積の原子でできたか。
ジェットが届いた範囲から原子が集まった。
ジェットが届いた半径は、原子が集まった半径である。
ジェットが届いた半径をｒとすると、４π÷３×ｒ３×１０１８＝クエーサーの原子数です。
これよりｒを求める。
ｒ＝ジェットが届いた距離＝６．９６×１０５Ｋｍ×８４９×クエーサーのＡ÷太陽の中心のＡ＝６．９６×１０５Ｋｍ×８４９×クエーサーのＡ÷（３．８７２×１０３）＝１．５２６×１０５Ｋｍ×クエーサーのＡ
クエーサーのＡ＝ｒ÷（１．５２６×１０５Ｋｍ）
この式により、クエーサーのＡを求める事ができる。
Ｃは、１０−１６ｍの時代、どこの場所でも、１ｍ３の原子数は１０１８個であるとする。
クエーサーは、ブラックホール体から出るジェット噴射が届く範囲の原子が集合してできた。
ジェット噴射が届く半径は１．１２６×１０１１Ｋｍで、体積は、５．９７７×１０４２ｍ３です。
この球体に存在する、１０１８個×５．９７７×１０４２ｍ３＝５．９７７×１０６０個の原子が集められてクエーサーの質量ができた。
その後、クエーサーの中心部では、電子のラブの軌道が収縮し、Ａは大きくなった。
そのため、ジェットはもっと遠くまで届いた。
ジェットはもっと遠くまで届いたので、もっとたくさんの原子を集めた。
クエーサーの中央は、太陽の質量の１０４倍に成った。
クエーサーの中央は、Ａ＝９．３２×１０５となり、ジェットは１．４２２×１０１１Ｋｍまで届き、１．２×１０４３ｍ３の原子を集めた。（この事は「請求項２６」に記す。）
まず、Ａの考えに従って、クエーサーや星の生成を考える。
つぎに、Ｂの考えに従って、クエーサーや星の生成を考える。
そのつぎに、Ｃの考えに従って、クエーサーの生成を考える。
「請求項６」から「請求項１７」までは、Ａの考えに基づく。
「請求項１８」から「請求項２６」までは、Ｂの考えに基づく。
【発明の実施態様】
【０００５】１．“超ブラックホール体”を作っているものを、“超ブラックホールの素子”と名づける。
“超ブラックホールの素子”は、宇宙が熱平衡状態の時できた。
“超ブラックホールの素子”は、宇宙が熱平衡状態の時できた、公転軌道が４×１０−１７ｍの電子のラブです。公転軌道が２×１０−２０ｍの陽子のラブです。
この場の電子のラブのエネルギーは、８．６６５×１０−２４Ｊｍ÷（４×１０−１７ｍ）＝２．１６６×１０−７Ｊです。
この場の陽子のラブのエネルギーは、８．６６５×１０−２４Ｊｍ÷（２×１０−２０ｍ）＝４．３３３×１０−４Ｊです。
宇宙が熱平衡状態の時の場は、電子のラブの公転軌道が４×１０−１７ｍの場です。この場が“超ブラックホールの素子”の場です。
“超ブラックホールの素子”が集まって、“超ブラックホール体”ができました。
“超ブラックホール体”から、“ボイドを作った高エネルギーのジェット”が噴出しました。
２．“超ブラックホールの素子”のＡはいくらか。
“超ブラックホールの素子”のＡは、Ａ＝１．０５８×１０−１０ｍ÷（４×１０−１７ｍ）＝２．６４５×１０６です。
３．“超ブラックホールの素子”でできる“超ブラックホール体”から出るジェットはどこまで届くか。球体の体積はいくらか。
ジェットが届く距離＝太陽の半径×８４９×“超ブラックホール体”のＡ÷太陽の中心のＡ＝６．９６×１０５Ｋｍ×８４９×２．６４５×１０６÷（３．８７２×１０３）＝４．０３７×１０１１Ｋｍ
この球体の体積は、
４÷３×π（４．０３７×１０１１＋３ｍ）３＝２．７５５×１０４４ｍ３です。
４．“超ブラックホール体”に集められた原子数はいくらか。太陽の何倍の質量の“超ブラックホール体”ができるか。
１０−１７ｍの場には、１ｍ３に１０２１個の原子が存在します。（これは後述する。）
ジェットが届く体積には、
１０２１個×２．７５５×１０４４ｍ３＝２．７５５×１０６５個の原子が存在する。
これが集まって、“超ブラックホール体”になる。
“超ブラックホール体”は太陽の質量の何倍か。
“超ブラックホール体”の原子数÷太陽の原子数＝２．７５５×１０６５個÷（１．２×１０５７個）＝２．３×１０８
太陽の質量の２．３×１０８倍の“超ブラックホール体”ができます。
そして、更に、太陽の質量の２．３×１０８倍の“超ブラックホール体”の中心部の電子のラブの軌道は収縮します。１０分の１に収縮すると、１０−１８ｍに成ります。電子のラブのエネルギーは１０倍に成ります。陽子のラブのエネルギーも１０倍に成ります。
それで、ジェット噴射は、１０倍遠くまで届きます。
これによって、ジェットが届く球体積は１０３倍になり、１０３倍の原子が集まりました。
“超ブラックホール体”の質量も１０３倍に成り、太陽の質量の２．３×１０１１倍の“超ブラックホール体”ができます。
５．太陽の質量のα倍の星の中心のＡは、太陽の中心のＡ×αです。銀河やクエーサーの中心が太陽の質量のβ倍の場合、銀河やクエーサーの中心のＡは、太陽の中心のＡ×βになるのか。
ブラックホールのＡは、太陽のＡの何倍か。
ブラックホールのＡ÷太陽のＡ＝７．３７８×１０５÷（３．８７２×１０３）＝１９０．５
１９０．５倍です。
ブラックホールのＡ＝太陽のＡ×１９０．５
ブラックホールのＡ＝太陽のＡ×１９０．５＝太陽の質量の１９０．５倍の星のＡ
太陽の１９０．５倍以上の星は存在しない。
“超ブラックホール素子”のＡは２．６４５×１０６です。これは太陽のＡの何倍か。
２．６４５×１０６÷（３．８７２×１０３）＝６８３
６８３倍です。
“超ブラックホール素子”のＡ＝太陽のＡ×６８３＝太陽の質量の６８３倍のＡ
宇宙の熱平衡状態のＡ（“超ブラックホール素子”のＡ）は、太陽の６８３倍の質量の星のＡと同じです。
○銀河やクエーサーの中心が太陽の質量のβ倍の場合、銀河やクエーサーの中央のＡは、太陽の中心のＡ×βになるのか。
太陽の質量の１０９倍のクエーサーの場合。
太陽の質量の１０９倍のクエーサーのＡ＝太陽の中心のＡ×１０９＝３．８７２×１０３×１０９＝３．８７２×１０１２
太陽の質量の１０９倍のクエーサーのＡ＝３．８７２×１０１２となる。
この値は、“超ブラックホール”のＡの値２．６４５×１０６より大きい。
よって、銀河やクエーサーの中心が太陽の質量のβ倍の場合、銀河やクエーサーの中央のＡは、太陽の中心のＡ×βにならない。
６．星の生成。
▲１▼原始星の生成。
中央のブラックホールや中性子星より、ジェットが噴出し、届いた所に小惑星を作る。
ジェットが届いた所までの原子を集める。
ブラックホールの場合。
ブラックホールのＡ＝７．３７８×１０５
ジェットが届いた距離＝１．１２６×１０１１Ｋｍ
１．１２６×１０１１Ｋｍに小惑星ができる。
▲２▼ジェットが届いた範囲の原子が集まり、原始星の質量ができる。
ブラックホールの場合。
ジェットが届いた球体の体積は、５．９７７×１０４２ｍ３
集まった原子数＝太陽の質量の原子数×星の質量（太陽の質量の倍数）＝１．２×１０５７個×星の質量（太陽の質量の倍数）
１ｍ３の原子数＝集まった原子数÷ジェットが届いた球体の体積＝１．２×１０５７個×星の質量（太陽の質量の倍数）÷（５．９７７×１０４２ｍ３）＝２×１０１４個×星の質量（太陽の質量の倍数）
▲３▼核融合反応がおき、ジェットを噴出する。
このジェットが届いた所に小惑星ができる。
核融合反応が起きる場のＡは、太陽の中心のＡで、３．８７２×１０３です。
ジェットが届いた距離＝６．９６×１０５Ｋｍ×８４９＝５．９０９×１０８Ｋｍ
５．９０９×１０８Ｋｍの所に小惑星ができる。
▲４▼星ができる。星の中でできた中性子は２重構造になっている。２重構造の外側に約半分の中性子があり、内側に約半分の中性子がある。
星の中のＡは、Ａ＝核融合反応が起きる場のＡ（太陽の中心のＡ）×星の質量（太陽の質量の倍数）
星の中でできる中性子の数＝星の質量（太陽の質量の倍数）２×４
▲５▼星が爆発する。星の中心は、６．３５３分の１に収縮する。
爆発後の星の中心のＡ＝太陽の中心のＡ×星の質量が太陽の何倍か×６．３５３
これが、次世代の星の原始星の中心になる。
▲６▼２重構造の中性子の外側の中性子は、電子と陽子に分かれ、元素ができる。
約半数は外側、半数は内側になる。内側の中性子の数は、外側の中性子の数より多い。
７．原子核において、中性子の数が陽子の数より多いのはどうしてか。
原子核の中性子の数が陽子の数より多い理由は、星の中央において、２重構造の中性子の内側の軌道のほうが外側の軌道よりエネルギーが大きいので、内側の軌道に存在する中性子の数は、外側の軌道に存在する中性子の数より多く存在できるためです。
８．太陽の先祖の星がたどった足跡はどのようであったか。
私は、２００７年６月１５日に提出した特願２００７−１８３７１８の「請求項１５」で、太陽の先祖がたどった足跡を記した。第１世代の星の質量は、太陽の質量の５２．３８倍である。この中でできる中性子の数は、５２．３８×５２．３８×４＝１０９７４です。この中性子でできる元素は、中性子：陽子：電子＝１：１：１であるとすると、原子番号は、１０９７４÷２＝５４８７です。
しかし、このような元素は太陽圏には存在しません。
それで、太陽の先祖の第１世代の星の質量は、太陽の質量の５２．３８倍の星ではない。
太陽の先祖の第１世代の星の中で、Ｒｇ（レントゲニュウム）までの元素ができました。太陽の先祖の第１世代の星の中で、２７２個の中性子ができました。太陽の先祖の第１世代の星の質量は、太陽の（２７２÷４）１／２＝８．２４６倍です。
○太陽の先祖の第１世代の星の生成。
▲１▼第１世代の原始星の生成。
中央のブラックホールより、ジェットが噴出し、届いた所に小惑星を作る。ジェットが届いた所までの原子を集める。
ブラックホールから噴出するジェットの届く距離は、ブラックホールのＡ＝７．３７８×１０５ですから、
ブラックホールから噴出するジェットの届く距離＝太陽の半径×８４９×ブラックホールのＡ÷太陽の中心のＡ＝６．９６×１０５Ｋｍ×８４９×７．３７８×１０５÷（３．８７２×１０３）＝１．１２６×１０１１Ｋｍ
ブラックホールから１．１２６×１０１１Ｋｍの所に小惑星ができた。これは、約１０億才の宇宙でできたので、現在は、溶けてガス状になっている。これは、オールト雲です。
▲２▼ジェットが届いた範囲の原子が集まり、原始星の質量ができる。
集まった原子数＝太陽の質量の原子数×８．２４６＝６×１０２６×１．９８９×１０３０Ｋｇ×８．２４６＝１．２×１０５７個×８．２４６＝９．８９５×１０５７個
ジェットが届いた球体の体積は、
４πｒ３÷３＝４π（１．１２６×１０１１＋３ｍ）３÷３＝５．９７７×１０４２ｍ３です。
５．９７７×１０４２ｍ３から、９．８９５×１０５７個の原子が集まる。
１ｍ３の原子数は、９．８９５×１０５７個÷（５．９７７×１０４２ｍ３）＝１．６５６×１０１５個です。
１ｍ３の原子数が１．６５６×１０１５個の場で第１世代の原始星はできた。
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
５．９０９×１０８Ｋｍの所に小惑星ができた。これが、火星と木星の間の小惑星です。
▲４▼星ができる。星の中でできた中性子は２重構造になっている。
星の中心のＡは、Ａ＝３．８７２×１０３×８．２４６＝３．１９３×１０４です。
これで、星の中に、太陽の中でできる中性子の８．２４６×８．２４６倍までの中性子ができる。
星の中でできる中性子の数＝８．２４６×８．２４６×４個＝２７２個
星の中で、４個から２７２個までの中性子ができる。
この中性子は２重構造になっていて、外側に原子番号と同じ数の中性子がある。
中性子の数が最大の２７２個の場合、１１１個の中性子は外側、１６１個の中性子は内側にある。
▲５▼星が爆発する。
星の中心は、６．３５３分の１に収縮する。
爆発後、星の中心のＡは、Ａ＝３．１９３×１０４×６．３５３＝２．０２９×１０５です。
これが、第２世代の星、太陽の原始星の中心になる。
▲６▼２重構造の中性子の外側の中性子は、電子と陽子に分かれ、元素ができる。
星の中で、４から２７２個までの中性子ができる。約半数は外側、半数は内側になる。
中性子の数が最大の２７２個の場合、外側にある１１１個の中性子は陽子と電子に分かれ、Ｒｇができる。
原子番号が２から１１１までの元素ができる。
○太陽の生成。
▲１▼太陽の原始星の生成。
中央の中性子星より、ジェットが噴出し、届いた所に小惑星を作る。ジェットが届いた所までの原子を集める。
中性子星のＡ＝２．０２９×１０５（但し、太陽の質量の８倍の星が爆発してできる中性子星のＡは、１．９６８×１０５です。）
中性子星から噴出するジェットの届く距離＝太陽の半径×８４９×中性子星のＡ÷太陽の中心のＡ＝６．９６×１０５Ｋｍ×８４９×２．０２９×１０５÷（３．８７２×１０３）＝３．０９６×１０１０Ｋｍ
中性子星から３．０９６×１０１０Ｋｍの所に小惑星ができた。これが、エッジワース・カイパーベルト小惑星です。
▲２▼ジェットが届いた範囲の原子が集まり、原始星の質量ができる。
集まった原子数＝太陽の質量の水素数＝６×１０２６×１．９８９×１０３０Ｋｇ＝１．２×１０５７個
１ｍ３の原子数はいくらか。
ジェットが届いた球体の体積は、
４πｒ３÷３＝４π（３．０９６×１０１０＋３ｍ）３÷３＝１．２４２×１０４１ｍ３です。
１．２４２×１０４１ｍ３から、１．２×１０５７個の水素が集まる。
１ｍ３の水素数は、１．２×１０５７個÷（１．２４２×１０４１ｍ３）＝９．６６２×１０１５個です。
１ｍ３の水素数が９．６６２×１０１５個の場で太陽の原始星はできた。
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
ブラックホールから５．９０９×１０８Ｋｍの所に小惑星ができた。これが、火星と木星の間の小惑星です。
▲４▼太陽ができる。太陽の中でできた中性子は２重構造になっている。
太陽の中心のＡは、３．８７２×１０３です。
太陽の中でできる中性子は４個です。
この中性子は２重構造になっていて、外側に２個の中性子があり、内側に２個の中性子がある。
▲５▼太陽が爆発する。
太陽の中心は、６．３５３分の１に収縮する。
爆発後、太陽の中心のＡは、Ａ＝３．８７２×１０３×６．３５３＝２．４６×１０４です。
これが、太陽の次世代の原始星の中心になる。
▲６▼２重構造の中性子の外側の中性子は、電子と陽子に分かれ、元素ができる。
２重構造の中性子の外側の２個の中性子は、２個の陽子と２個の電子になりＨｅができる。
９．太陽の質量の１００倍の星がたどった足跡はどのようであったのか。
○第１世代の星の生成。
▲１▼太陽の質量の１００倍の原始星の生成はブラックホールより生成した。
中央のブラックホールより、ジェットが噴出し、届いた所に小惑星を作る。ジェットが届いた所までの原子を集める。
ブラックホールのＡ＝７．３７８×１０５
ジェットが届いた距離＝１．１２６×１０１１Ｋｍ
１．１２６×１０１１Ｋｍに小惑星ができた。
▲２▼ジェットが届いた範囲の原子が集まり、原始星の質量ができる。
体積＝５．９７７×１０４２ｍ３
集まった原子数＝１．２×１０５７個×１００＝１．２×１０５９個
１ｍ３にあった原子の数＝１．２×１０５９個÷（５．９７７×１０４２ｍ３）＝２．００８×１０１６個
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
５．９０９×１０８Ｋｍに小惑星ができた。
▲４▼星ができる。星の中でできた中性子は２重構造になっている。
星の中心のＡは、Ａ＝３．８７２×１０３×１００＝３．８７２×１０５です。
これで、星の中に、太陽の中でできる中性子の１００×１００倍までの中性子ができる。
星の中でできる中性子の数＝１００×１００×４個＝４００００個
星の中で、４から４００００個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝３．８７２×１０５×６．３５３＝２．４６０×１０６です。
これは、“超ブラックホール”です。
これが、第２世代の原始星の中心になる。
▲６▼２重構造の中性子の外側の中性子は、電子と陽子に分かれ、元素ができる。
４００００個の中性子が２重構造になっている場合、内側に２５０００個、外側に１５０００個の中性子があったと仮定すると、爆発後、原子番号が１５０００の元素ができる。
原子番号が２から１５０００までの元素ができる。
○第２世代の星の生成。
▲１▼第１世代の星が爆発し、その後にできる物は、Ａ＝２．４６０×１０６の“超ブラックホール”です。
この“超ブラックホール”からジェットが噴出し、小惑星を作る。
ジェットが届く距離＝６．９６×１０５Ｋｍ×８４９×２．４６０×１０６÷（３．８７２×１０３）＝３．７５４×１０１１Ｋｍ
▲２▼この場の１ｍ３につき、どれだけの元素や水素（原子）が存在するのかによって、できる星の質量は決定される。
球体の体積＝４π÷３×（３．７５４×１０１１＋３ｍ）３＝２．２１５×１０４４ｍ３
できる星の質量＝球体の体積×１ｍ３の元素や水素の数＝２．２１５×１０４４ｍ３×１ｍ３の元素や水素の数
１ｍ３の元素や水素の数には、１００倍の質量の星が爆発後に、その場に残る元素や水素も含まれる。
１０．太陽の質量の３０倍の星がたどった足跡はどのようであったのか。
○第１世代の星の生成。
▲１▼太陽の質量の３０倍の原始星の生成はブラックホールより生成した。
中央のブラックホールより、ジェットが噴出し、届いた所に小惑星を作る。ジェットが届いた所までの原子を集める。
ブラックホールのＡ＝７．３７８×１０５
ジェットが届いた距離＝１．１２６×１０１１Ｋｍ
半径１．１２６×１０１１Ｋｍの所に小惑星ができた。
▲２▼ジェットが届いた範囲の原子が集まり、原始星の質量ができる。
体積＝５．９７７×１０４２ｍ３
集まった原子数＝１．２×１０５７個×３０＝３．６×１０５８個
１ｍ３にあった水素の数＝３．６×１０５８個÷（５．９７７×１０４２ｍ３）＝６．０２３×１０１５個
▲３▼融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
半径５．９０９×１０８Ｋｍの所に小惑星ができた。
▲４▼星ができる。星の中でできた中性子は２重構造になっている。
星の中心のＡは、Ａ＝３．８７２×１０３×３０＝１．１６２×１０５です。
これで、星の中に、太陽の中でできる中性子の３０×３０倍までの中性子ができる。
星の中でできる中性子の数＝３０×３０×４個＝３６００個
星の中で、４から３６００個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝１．１６２×１０５×６．３５３＝７．３８２×１０５です。
これはブラックホールです。
これが、第２世代の原始星の中心になる。
▲６▼２重構造の中性子の外側の中性子は、電子と陽子に分かれ、元素ができる。
３６００個の中性子が２重構造になっている場合、内側に２０００個、外側に１６００個の中性子があったと仮定すると、爆発後、原子番号が１６００の元素ができる。原子番号が２から１６００までの元素ができる。
○第２世代の星の生成。
▲１▼第１世代の星が爆発し、その後にできる物は、Ａ＝７．３８２×１０５のブラックホールです。
このブラックホールからジェットが噴出し、小惑星を作る。
ジェットが届く距離＝６．９６×１０５Ｋｍ×８４９×７．３８２×１０５÷（３．８７２×１０３）＝１．１２７×１０１１Ｋｍ
▲２▼この場に１ｍ３につき、どれだけの元素や水素が存在するのかによって、できる星の質量は決定される。
球体の体積＝４π÷３×（１．１２７×１０１１＋３ｍ）３＝５．９９３×１０４２ｍ３
できる星の質量＝球体の体積×１ｍ３の元素や水素の数＝５．９９３×１０４２ｍ３×１ｍ３の元素や水素の数
１ｍ３の元素や水素の数には、３０倍の質量の星が爆発後に、その場に残る元素や水素も含まれる。
１１．太陽の質量の１０倍の星がたどった足跡はどのようであったのか。
○第１世代の星の生成。
▲１▼太陽の質量の１０倍の原始星の生成はブラックホールより生成した。
中央のブラックホールより、ジェットが噴出し、届いた所に小惑星を作る。ジェットが届いた所までの水素を集める。
ブラックホールのＡ＝７．３７８×１０５
ジェットが届いた距離＝１．１２６×１０１１Ｋｍ
半径１．１２６×１０１１Ｋｍの所に小惑星ができた。
▲２▼ジェットが届いた範囲の原子が集まり、原始星の質量ができる。
体積＝５．９７７×１０４２ｍ３
集まった水素数＝１．２×１０５７個×１０＝１．２×１０５８個
１ｍ３にあった水素の数＝１．２×１０５８個÷（５．９７７×１０４２ｍ３）＝２．００８×１０１５個
▲３▼核融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
▲４▼星ができる。星の中でできた中性子は２重構造になっている。
星の中心のＡは、Ａ＝３．８７２×１０３×１０＝３．８７２×１０４です。
これで、星の中に、太陽の中でできる中性子の１０×１０倍までの中性子ができる。
星の中でできる中性子の数＝１０×１０×４個＝４００個
星の中で、４から４００個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝３．８７２×１０４×６．３５３＝２．４６０×１０５です。
これが、第２世代の原始星の中心になる。
▲６▼２重構造の中性子の外側の中性子は、電子と陽子に分かれ、元素ができる。
４００個の中性子が２重構造になっている場合、内側に２５０個、外側に１５０個の中性子があったと仮定すると、爆発後、原子番号が１５０の元素ができる。原子番号２から１５０までの元素ができる。
○２世代の星の生成。
１世代の星が爆発後、星の中心のＡ＝２．４６０×１０５で、これからジェットが噴出し、その場に存在する元素と水素があつまり、星の質量に成る。
ジェットが届く距離＝６．９６×１０５Ｋｍ×８４９×２．４６０×１０５÷（３．８７２×１０３）＝３．７５４×１０１０Ｋｍ
ジェットが届く球体の体積＝４π÷３×（３．７５４×１０１０＋３ｍ）３＝２．２１５×１０４１ｍ３
この場の１ｍ３に、何個の原子が存在するかによって、できる星の質量が決定される。
できる星の質量＝球体の体積×１ｍ３の元素や水素の数＝２．２１５×１０４１ｍ３×１ｍ３の元素や水素の数
１ｍ３の元素や水素の数には、１０倍の質量の星が爆発後に、その場に残る元素や水素も含まれる。
１２．太陽の質量の８倍の星がたどった足跡はどのようであったのか。
○第１世代の星の生成。
▲１▼太陽の質量の８倍の原始星の生成はブラックホールより生成した。
中央のブラックホールより、ジェットが噴出し、届いた所に小惑星を作る。ジェットが届いた所までの水素を集める。
ブラックホールのＡ＝７．３７８×１０５
ジェットが届いた距離＝１．１２６×１０１１Ｋｍ
半径１．１２６×１０１１Ｋｍの所に小惑星ができた。
▲２▼ジェットが届いた範囲の原子が集まり、原始星の質量ができる。
体積＝５．９７７×１０４２ｍ３
集まった水素数＝１．２×１０５７個×８＝９．６×１０５７個
１ｍ３にあった水素の数＝９．６×１０５７個÷（５．９７７×１０４２ｍ３）＝１．６０６×１０１５個
▲３▼融合反応がおき、ジェットを噴出する。
このジェットが届いた所に小惑星ができる。
核融合反応が起きる場のＡは、３．８７２×１０３です。
ジェットが届いた距離＝６．９６×１０５Ｋｍ×８４９＝５．９０９×１０８Ｋｍ
▲４▼星ができる。星の中でできた中性子は２重構造になっている。
星の中心のＡは、Ａ＝３．８７２×１０３×８＝３．０９８×１０４です。
これで、星の中に、太陽の中でできる中性子の８×８倍までの中性子ができる。
星の中でできる中性子の数＝８×８×４個＝２５６個
星の中で、４から２５６個までの中性子ができる。
この中性子は２重構造になっていて、外側に原子番号と同じ数の中性子がある。
▲５▼星が爆発する。
星の中心は、６．３５３分の１に収縮する。
爆発後、星の中心のＡは、Ａ＝３．０９８×１０４×６．３５３＝１．９６８×１０５です。
これは中性子星です。
これが、第２世代の原始星の中心になる。
▲６▼２重構造の中性子の外側の中性子は、電子と陽子に分かれ、元素ができる。
２５６個の中性子が２重構造になっている場合、内側に１５０個、外側に１０６個の中性子があったと仮定すると、爆発後、原子番号が１０６の元素ができる。
原子番号２から１０６までの元素ができる。
○２世代の星の生成。
１世代の星が爆発後、星の中心のＡ＝１．９６８×１０５で、これからジェットが噴出し、その場に存在する元素と水素があつまり、星の質量に成る。
ジェットが届く距離＝６．９６×１０５Ｋｍ×８４９×１．９６８×１０５÷（３．８７２×１０３）＝３．００３×１０１０Ｋｍ
ジェットが届く球体の体積＝４π÷３×（３．００３×１０１０＋３ｍ）３＝１．１３４×１０４１ｍ３
この場の１ｍ３に、何個の原子が存在するかによって、できる星の質量が決定される。
できる星の質量＝球体の体積×１ｍ３の元素や水素の数＝１．１３４×１０４１ｍ３×１ｍ３の元素や水素の数
１ｍ３の元素や水素の数には、８倍の質量の星が爆発後に、その場に残る元素や水素も含まれる。
まとめて、表にする。
2008079498.tif 000003
１３．ブラックホールの場で原始星ができた場合、１ｍ３にどれだけの原子数があったか。
太陽の質量の星がブラックホールの場でできる場合。
ブラックホールでできる球体の体積＝５．９７７×１０４２ｍ３です。
集まった水素数＝１．２×１０５７個です。
１ｍ３の原子数＝１．２×１０５７個÷（５．９７７×１０４２ｍ３）＝２．００８×１０１４個です。
ブラックホールの場でできた星の質量と１ｍ３の原子数
2008079498.tif 000004
ブラックホールの場において、
１ｍ３の原子数が２×１０１６個の軌道では、太陽の質量の１００倍の星ができる。
１ｍ３の原子数が２×１０１５個の軌道では、太陽の質量の１０倍の星ができる。
１ｍ３の原子数が２×１０１４個の軌道では、太陽の質量の星ができる。
ブラックホールの場においてできた星は、集まり、楕円銀河を作った。
１４．ブラックホールの場でクエーサーができた場合、１ｍ３にどれだけの原子数があったか。
・太陽の質量の１０９倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０９＝１．２×１０６６個です。
１ｍ３の原子数＝１．２×１０６６個÷（５．９７７×１０４２ｍ３）＝２．００８×１０２３個です。
・太陽の質量の１０８倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０８＝１．２×１０６５個です。
１ｍ３の原子数＝１．２×１０６５個÷（５．９７７×１０４２ｍ３）＝２．００８×１０２２個です。
・太陽の質量の１０７倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０７＝１．２×１０６４個です。
１ｍ３の原子数＝１．２×１０６４個÷（５．９７７×１０４２ｍ３）＝２．００８×１０２１個です。
・太陽の質量の１０６倍のクエーサーができた場合、１ｍ３にどれだけの原子数があったか。
ブラックホールのジェットでできる球体の体積＝５．９７７×１０４２ｍ３です。
集まった原子数＝１．２×１０５７個×１０６＝１．２×１０６３個です。
１ｍ３の原子数＝１．２×１０６３個÷（５．９７７×１０４２ｍ３）＝２．００８×１０２０個です。
ブラックホールの場でできたクエーサーの質量と１ｍ３の原子数
2008079498.tif 000005
ブラックホールの場において、
１ｍ３の原子数が２×１０２３個の軌道では、太陽の質量の１０９倍のクエーサーができた。
１ｍ３の原子数が２×１０２２個の軌道では、太陽の質量の１０８倍のクエーサーができた。
１ｍ３の原子数が２×１０２１個の軌道では、太陽の質量の１０７倍のクエーサーができた。
１ｍ３の原子数が２×１０２０個の軌道では、太陽の質量の１０６倍のクエーサーができた。
１５．ブラックホールの素子の時代＝電子のラブの公転軌道が１０−１６ｍの時代の宇宙。
電子のラブの公転軌道が１０−１６ｍの時代の宇宙において、
１ｍ３の原子数が２×１０２３個の軌道において、太陽の質量の１０９倍のクエーサーができた。
１ｍ３の原子数が２×１０２２個の軌道において、太陽の質量の１０８倍のクエーサーができた。
１ｍ３の原子数が２×１０２１個の軌道において、太陽の質量の１０７倍のクエーサーができた。
１ｍ３の原子数が２×１０２０個の軌道において、太陽の質量の１０６倍のクエーサーができた。
１ｍ３の原子数が２×１０１６個の軌道において、太陽の質量の１００倍の星ができた。
１ｍ３の原子数が２×１０１５個の軌道において、太陽の質量の１０倍の星ができた。
１ｍ３の原子数が２×１０１４個の軌道において、太陽の質量の星ができた。
ブラックホールの場においてできた星は、集まり、楕円銀河を作った。
１０−１６ｍの時代、宇宙は、軌道を作っていた。その軌道は、原子数の密度で表現できる。
宇宙の中央ほど原子の密度は大きくなる。中央から離れるほど原子の密度は小さくなる。
原子の密度を１ｍ３の原子数で表示する。
１０−１６ｍの時代、宇宙の中央は、１ｍ３の原子数が２×１０２３個の軌道であった。この軌道で、太陽の質量の１０９倍のクエーサーができた。
中央から離れるに従って、原子の密度は小さくなり、２×１０２２個の軌道→２×１０２１個の軌道→２×１０２０個の軌道→２×１０１９個の軌道→２×１０１８個の軌道→２×１０１７個の軌道→２×１０１６個の軌道→２×１０１５個の軌道→２×１０１４個の軌道→２×１０１３個の軌道→２×１０１２個の軌道となっている。
１６．クエーサーの中央部の過去と未来。
宇宙の時代を電子のラブの公転軌道で示し、各々の時代の軌道を１ｍ３の原子数で示す。
但し、倍数は太陽の質量の倍数を示す。
2008079498.tif 000006
2008079498.tif 000007
2008079498.tif 000008
2008079498.tif 000009
１７．宇宙の年齢における、電子の公転軌道、何がおきたか、１ｍ３の最高原子数、クエーサーや銀河の中心部の最高質量。
１０−１６ｍの時代を１０８歳、１０−１５ｍの時代を１０９歳、１０−１４ｍの時代を１０１０歳、と考える。
2008079498.tif 000010
2008079498.tif 000011
１８．宇宙の時代において、どの空間でも１ｍ３の原子数は一定である。宇宙の時代における１ｍ３の原子数はいくらか。
１０−１６ｍの時代の宇宙は、どの空間でも１ｍ３に原子は１０１８個存在した。１ｍ３の原子数は１０１８個だった。
１０−１５ｍの時代の宇宙は、どの空間でも１ｍ３に原子は１０１５個存在した。１ｍ３の原子数は１０１５個だった。
１０−１４ｍの時代の宇宙は、どの空間でも１ｍ３に原子は１０１２個存在した。１ｍ３の原子数は１０１２個だった。
１ｍ３の原子数について。
星が生成した時、ブラックホールの場でできたとすると、太陽の質量の１００倍の星は、１ｍ３に原子数が２×１０１６個存在する場ででき、太陽の質量の１０倍の星は、１ｍ３に原子数が２×１０１５個存在する場ででき、太陽と同じ星は、１ｍ３に原子数が２×１０１４個存在する場でできる、と理解した。
それで、星は１０−１５ｍの時代にできますから、１０−１５ｍの時代において、１ｍ３の原子数は１０１５個であるとします。
そうすると、１０−１６ｍの時代は、１ｍ３の原子数は１０１８個です。
１０−１４ｍの時代は、１ｍ３の原子数は１０１２個です。
この事を基に、クエーサーや星は、どれだけの体積の原子を集めてできたか計算します。
１９．太陽の質量のα倍の星ができるためには、どれ位の体積の原子を集めたらよいか。
それは半径何Ｋｍか。
星は１０−１５ｍの時代にできた。
１０−１５ｍの時代、宇宙はどの場でも、１ｍ３に１０１５個の原子が存在していたとします。
星の原子数＝太陽の原子数×α＝１．２×１０５７個×α
体積をｘｍ３とします。
１０１５個×ｘｍ３＝１．２×１０５７個×α
ｘｍ３＝１．２×１０５７個×α÷１０１５個＝１．２×１０４２×α
体積は、１．２×１０４２×αｍ３です。
４π÷３×ｒ３＝１．２×１０４２×αｍ３
ｒ３＝１．２×１０４２×αｍ３÷４π×３＝２．８６６×１０４１×αｍ３
ｒ＝（２．８６６×１０４１×αｍ３）１／３
ｒ＝６．６×１０１３×α１／３ｍ＝６．６×１０１０×α１／３Ｋｍ
半径は、６．６×１０１０×α１／３Ｋｍです。
・太陽の質量の３０倍の星ができる時、原子はどれ位の体積から集められるか。その半径は何Ｋｍか。
体積は、１．２×１０４２×３０ｍ３＝３．６×１０４３ｍ３です。
半径は、６．６×１０１０×３０１／３Ｋｍ＝６．６×１０１０×３．１１Ｋｍ＝２．０５３×１０１１Ｋｍです。
・太陽の質量の１０倍の星ができる時、原子はどれ位の体積から集められるか。その半径は何Ｋｍか。
体積は、１．２×１０４２×１０ｍ３＝１．２×１０４３ｍ３です。
半径は、６．６×１０１０×１０１／３Ｋｍ＝６．６×１０１０×２．１５５Ｋｍ＝１．４２２３×１０１１Ｋｍです。
・太陽の質量の８．２４６倍の星ができる時、原子はどれ位の体積から集められるか。その半径は何Ｋｍか。
体積は、１．２×１０４２×８．２４６ｍ３＝９．８９５×１０４２ｍ３です。
半径は、６．６×１０１０×８．２４６１／３Ｋｍ＝６．６×１０１０×２．０２Ｋｍ＝１．３３３×１０１１Ｋｍです。
ブラックホールでできるジェットが届く半径は１．１×１０１１Ｋｍですから、これはその値にやや等しい。
２０．中心部が太陽の質量のβ倍のクエーサーができるためには、どれ位の体積の原子を集めたらよいか。それは半径何Ｋｍか。
クエーサーは１０−１６ｍの時代にできた。
１０−１６ｍの時代、宇宙はどの場でも、１ｍ３に１０１８個の原子が存在していたとします。
星の原子数＝太陽の原子数×β＝１．２×１０５７個×β
体積をｘｍ３とします。
１０１８個×ｘｍ３＝１．２×１０５７個×β
ｘｍ３＝１．２×１０５７個×β÷１０１８個＝１．２×１０３９×β
体積は、１．２×１０３９×βｍ３です。
４π÷３×ｒ３＝１．２×１０３９×βｍ３
ｒ３＝１．２×１０３９×βｍ３÷４π×３＝２．８６６×１０３８×βｍ３
ｒ＝（２．８６６×１０３８×βｍ３）１／３
ｒ＝６．６×１０１２×β１／３ｍ＝６．６×１０９×β１／３Ｋｍ
半径は、６．６×１０９×Ｂ１／３Ｋｍです。
・中心部が太陽の質量の１０９倍のクエーサーができる時、原子はどれ位の体積から集められるか。その半径は何Ｋｍか。
体積は、１．２×１０３９×１０９ｍ３＝１．２×１０４８ｍ３です。
半径は、６．６×１０９×１０９÷３Ｋｍ＝６．６×１０１２Ｋｍです。
・中心部が太陽の質量の１０８倍のクエーサーができる時、原子はどれ位の体積から集められるか。その半径は何Ｋｍか。
体積は、１．２×１０３９×１０８ｍ３＝１．２×１０４７ｍ３です。
半径は、６．６×１０９×１０８÷３Ｋｍ＝６．６×１０９×１０２×１００１／３＝６．６×１０１１×４．６４３＝３．０６４×１０１２Ｋｍです。
・中心部が太陽の質量の１０７倍のクエーサーができる時、原子はどれ位の体積から集められるか。その半径は何Ｋｍか。
体積は、１．２×１０３９×１０７ｍ３＝１．２×１０４６ｍ３です。
半径は、６．６×１０９×１０７÷３Ｋｍ＝６．６×１０９×１０２×１０１／３Ｋｍ＝６．６×１０１１×２．１５５Ｋｍ＝１．４２２×１０１２Ｋｍです。
・太陽の質量の１００倍の星ができる時、原子はどれ位の体積から集められるか。その半径は何Ｋｍか。
体積は、１．２×１０３９×１０２ｍ３＝１．２×１０４１ｍ３です。
半径は、６．６×１０９×１００１／３Ｋｍ＝６．６×１０９×４．６４３Ｋｍ＝３．０６４×１０１０Ｋｍです。
・太陽の質量の１０倍の星ができる時、原子はどれ位の体積から集められるか。その半径は何Ｋｍか。
体積は、１．２×１０３９×１０ｍ３＝１．２×１０４０ｍ３です。
半径は、６．６×１０９×１０１／３Ｋｍ＝６．６×１０９×２．１５５Ｋｍ＝１．４２２×１０１０Ｋｍです。
・太陽と同じ星ができる時、原子はどれ位の体積から集められるか。その半径は何Ｋｍか。
体積は、１．２×１０３９×１ｍ３＝１．２×１０３９ｍ３です。
半径は、６．６×１０９×１１／３Ｋｍ＝６．６×１０９Ｋｍです。
１０−１６ｍの時代、どこでも１ｍ３に１０１８個の原子が存在している場合、原子が集められた体積と半径。
2008079498.tif 000012
2008079498.tif 000013
２１．太陽はどのようにできたか。
太陽は１０−１４ｍの時代にできた。この場は、全ての所で、１ｍ３に１０１２個の原子があります。
太陽ができる時、原子はどれ位の体積から集められるか。その半径は何Ｋｍか。
太陽の原子数＝１．２×１０５７個
体積は、１．２×１０５７個÷１０１２個＝１．２×１０４５ｍ３です。
半径は、４πｒ３＝１．２×１０４５ｍ３
ｒ３＝２．８６６×１０４４
ｒ＝６．６×１０１１Ｋｍです。
これでは半径が大きすぎます。
太陽は、１０９年から１０１０年の間にできた。この場の原子の密度は、１０１５個／ｍ３から１０１２個／ｍ３です。
太陽は、１０１４個／ｍ３の場でできたと考えられます。
中性子星のジェットが届く範囲の原子が集められたと考えられます。
２２．クエーサーのＡはどのように求められるのか。
１０−１６ｍの時代、宇宙はどの場でも、１ｍ３に１０１８個の原子が存在していたとします。
中心部が太陽の質量の１０９倍のクエーサーは、半径６．６×１０１２Ｋｍの原子を集めてできた。
もし、これがジェットで集められたとしたならば、ジェットは半径６．６×１０１２Ｋｍまで届いた事に成ります。
クエーサーのＡはどれ位か。
ジェットの届く距離＝６．９６×１０５Ｋｍ×８４９×クエーサーのＡ÷（３．８７２×１０３）＝６．６×１０１２Ｋｍ
クエーサーのＡ＝６．６×１０１２Ｋｍ÷（６．９６×１０５Ｋｍ×８４９）×３．８７２×１０３＝４．３２５×１０７
中心部が太陽の質量の１０９倍のクエーサーのＡは、４．３２５×１０７です。
この値は、Ａ＝太陽の中心のＡ×クエーサーの太陽の質量の倍数＝３．８７２×１０３×１０９＝３．８７２×１０１２ではありません。
それでは、クエーサーの場合は、どのような式でＡが求められるのでしょうか。
クエーサーのジェットが届く範囲の原子が集められた。
クエーサーのジェットが届く距離＝ｒ＝６．６×１０９×β１／３Ｋｍですから、
６．９６×１０５Ｋｍ×８４９×クエーサーのＡ÷（３．８７２×１０３）＝６．６×１０９×β１／３Ｋｍ
クエーサーのＡ＝６．６×１０９×β１／３Ｋｍ÷（６．９６×１０５Ｋｍ×８４９）×３．８７２×１０３＝４．３２５×１０４×β１／３
中心部が太陽の質量のβ倍のクエーサーや銀河のＡの値は、
Ａ＝４．３２５×１０４×β１／３です。
これは、太陽の中心の何倍か。
４．３２５×１０４×β１／３÷（３．８７２×１０３）＝１１．１７×β１／３
１１．１７×β１／３倍です。
それで、太陽の中心のＡを用いて、中心部が太陽の質量のβ倍のクエーサーや銀河の中心のＡを求める式は、
クエーサーのＡ＝太陽の中心のＡ×１１．１７×β１／３です。
これで、中心部が太陽の質量のβ倍のクエーサーや銀河の中心のＡは、太陽の質量の１１．１７×β１／３倍の星のＡと同じ値に成ります。
中心部が太陽の質量の１０９倍のクエーサーのＡは、太陽の質量の、１０９÷３×１１．１７＝１．１１７×１０４倍の星のＡと同じ値に成ります。
中心部は太陽の質量の１０８倍のクエーサーのＡは、太陽の質量の、１０８÷３×１１．１７＝１００１／３×１０２×１１．１７＝４．６４３×１０２×１１．１７＝５．１８６×１０３倍の星のＡと同じ値に成ります。
２３．クエーサーや銀河の中心のＡ＝β１／３×１１．１７×太陽の中心のＡ  の式は何を意味するのか。
クエーサーや銀河の中心の電子のラブの公転軌道＝１．０５８×１０−１０ｍ÷Ａ＝１．０５８×１０−１０ｍ÷太陽の中心のＡ÷１１．１７÷β１／３＝１．０５８×１０−１０ｍ÷（太陽の中心のＡ×１１．１７）÷β１／３
この事は、クエーサーや銀河の中心の電子のラブの公転軌道は、太陽の質量の１１．１７倍の星の中心の電子のラブの公転軌道のβ１／３分の１です。
クエーサーや銀河の中心のＡ＝β１／３×１１．１７×太陽の中心のＡ＝β１／３×（太陽の中心のＡ×１１．１７）
この事は、クエーサーや銀河の中心のＡは、太陽の質量の１１．１７倍の星の中心のＡのβ１／３倍です。
２４．電子のラブのエネルギーとジェットの届く距離の関係はどのようになっているか。
ジェットの届く距離＝６．９６×１０５Ｋｍ×８４９×Ａ÷（３．８７２×１０３）＝１．５２６×１０５Ｋｍ×Ａ
電子のラブの公転軌道＝１．０５８×１０−１０ｍ÷Ａ
電子のラブのエネルギー＝８．６６５×１０−２４Ｊｍ÷（１．０５８×１０−１０ｍ÷Ａ）＝８．１９０×１０−１４Ｊ×Ａ
電子のラブのエネルギーが８．１９０×１０−１４Ｊ×Ａの時。ジェットが届く距離は１．５２６×１０５Ｋｍ×Ａです。
電子のラブのエネルギーが、１Ｊのとき、８．１９０×１０−１４Ｊ×Ａ＝１Ｊ
Ａ＝１Ｊ÷（８．１９０×１０−１４Ｊ）＝１．２２１×１０１３
ジェットが届く距離は、１．５２６×１０５Ｋｍ×Ａ＝１．５２６×１０５Ｋｍ×１．２２１×１０１３＝１．８６３×１０１８Ｋｍです。
クエーサーの中央部が地球の質量の１０７倍の時、電子のラブのエネルギーは、７．６３４×１０−７Ｊですから、（この事は後述する）ジェットが届く距離は、１．８６３×１０１８Ｋｍ×７．６３４×１０−７Ｊ＝１．４２２×１０１２Ｋｍです。
よって、電子のラブのエネルギーとジェットの届く距離の関係は、
ジェットが届く距離＝電子のラブのエネルギー×１．８６３×１０１８Ｋｍです。
２５．クエーサーの生成。
クエーサーは、初め、ブラックホールの素子が集まって、ジェット噴射した。そのジェット噴射により、半径１．１２６×１０１１Ｋｍまでの球体の原子が集まってきた。この場は１０−１６ｍの時代で、１ｍ３の原子数はどこでも、１０１８個であるとする。半径１．１２６×１０１１Ｋｍまでの球体の原子が集まると、太陽の何倍の質量のクエーサーができるか。
半径１．１２６×１０１１Ｋｍまでの球体の原子数÷太陽の原子数＝４×π÷３×（１．１２６×１０１１＋３ｍ）３×１０１８個÷（１．２×１０５７個）＝５．９７７×１０３
太陽の質量の５．９７７×１０３倍のクエーサーができる。
太陽の質量の５．９７７×１０３倍のクエーサーができると、中心部の電子は公転軌道が小さくなり、エネルギーは大きくなる。それで、ジェットが届く距離も大きくなる。ジェットが届く距離が大きくなると、その球体から更に原子が集められ、クエーサーの原子数は増加する。中心部の原子数も増加する。
このようにして、クエーサーの中心部の原子数は、太陽の質量の１０４倍→太陽の質量の１０５倍→太陽の質量の１０６倍→太陽の質量の１０７倍→太陽の質量の１０８倍→太陽の質量の１０９倍と増加する。
２６．クエーサーの中心部の質量と、中心部のＡと、中心部の電子のラブの公転軌道と、中心部の電子のラブのエネルギーと、ジェットが届く距離と、中心部の１ｍ３の原子数と、温度はどのようであるか。
次の式によって、求める。中心部の質量が太陽のβ倍の時。
中心部のＡ＝４．３２５×１０４×１０β÷３
中心部の電子のラブの公転軌道＝１．０５８×１０−１０ｍ÷中心部のＡ
中心部の電子のラブのエネルギー＝８．６６５×１０−２４Ｊｍ÷中心部の電子のラブの公転軌道
ジェットが届く距離＝電子のラブのエネルギー×１．８６３×１０１８Ｋｍ
中心部の１ｍ３の原子数＝（１０−１６ｍ÷電子のラブの公転軌道）３×１０１８個
温度＝Ａ２℃
表に示す。
2008079498.tif 000014
2008079498.tif 000015
クエーサーの中心部の原子数は、太陽の質量の１０４倍→太陽の質量の１０５倍→太陽の質量の１０６倍→太陽の質量の１０７倍→太陽の質量の１０８倍→太陽の質量の１０９倍と増加する。
その時のクエーサーの中心部の状態は表のようになっている。
即ち、クエーサーの中心部の質量が太陽の１０４倍に成った時、電子のラブの公転軌道は１．１３５×１０−１６ｍになり、電子のラブのエネルギーは７．６３４×１０−８Ｊになり、ジェットの届く距離は１．３１０×１０１１Ｋｍになり、中央の１ｍ３の原子数は６．８３８×１０１７個になり、温度は８．６８６×１０１１℃になる。
更に、クエーサーの中心部の電子のラブのエネルギーは大きくなり、ジェットの届く距離も長くなり、たくさんの元素を集める。
クエーサーの中心部の質量が太陽の１０５倍に成った時、電子のラブの公転軌道は５．２６９×１０−１７ｍになり、電子のラブのエネルギーは１．６４５×１０−７Ｊになり、ジェットの届く距離は３．０６５×１０１１Ｋｍになり、中心部の１ｍ３の原子数は６．８３７×１０１７個になり、温度は４．０３２×１０１２℃になる。
２７．宇宙の過去と未来はどのようであるか。
宇宙の時代は、電子のラブの公転軌道で表示できる。
それで、宇宙の時代のエネルギーは、電子のラブのエネルギーによって理解できる。
宇宙の時代のエネルギーは、１原子のエネルギーによって理解できる。
宇宙の時代の１ｍ３の原子数は一定であると理解できた。
宇宙の時代の１ｍ３のエネルギーは、その時代の１原子のエネルギー×その時代の１ｍ３の原子数で理解できる。
宇宙の時代の半径は、光子が走った距離によって理解できる。
宇宙の時代の体積は、その時代に走った距離の球体として理解できる。
宇宙の時代の全体の原子数は、その時代の１ｍ３の原子数×その時代の球体の体積で理解できる。
宇宙の時代の全体のエネルギーは、その時代の１原子のエネルギー×その時代の全体の原子数で理解できる。
これらの事を、１０−１６ｍの時代を例とし、説明する。
・宇宙の時代は、電子のラブの公転軌道で表示できる。
宇宙が１０８歳の時、電子のラブの公転軌道は、１０−１６ｍでした。この時を１０−１６ｍの時代とする。
・宇宙の時代のエネルギーは、電子のラブのエネルギーによって理解できる。
１０−１６ｍの時代の電子のラブのエネルギーは、
８．６６５×１０−２４Ｊｍ÷１０−１６ｍ＝８．６６５×１０−８Ｊです。表では、８．６６５×１０−８Ｊ＝０．８６６５×１０−７Ｊとした。
・宇宙の時代のエネルギーは、１原子のエネルギーによって理解できる。
１原子の質量は、１電子の質量の、
１原子の質量÷１電子の質量＝１．６６０６×１０−２４ｇ÷（９．１０９５×１０−２８ｇ）＝１．８２３×１０３倍です。
エネルギーは、１．８２３×１０３倍です。
宇宙の時代の１原子のエネルギーは、電子のラブのエネルギー×１．８２３×１０３です。
１０−１６ｍの時代の１原子のエネルギー＝８．６６５×１０−８Ｊ×１．８２３×１０３＝１．５８×１０−４Ｊです。
・宇宙の時代の１ｍ３の原子数は一定であると理解できた。
１０−１６ｍの時代の１ｍ３の原子数は１０１８個で一定である。
・宇宙の時代の体積は、その時代に走った距離の球体として理解できる。
１０ａ年の体積は、１０ａ年の体積−１０ａ−１年の体積です。
１０ａ年の体積は、半径は１０ａ年間光速で走った距離の球体です。
１０ａ年の体積は、４π÷３×ｒ３＝４π÷３×（１０ａ×９．４６１×１０１５ｍ）３＝３．５４６×１０３ａ×１０５２ｍ３
１０ａ−１年の体積は、４π÷３×ｒ３＝４π÷３×（１０ａ−１×９．４６１×１０１５ｍ）３＝３．５４６×１０３ａ×１０４９ｍ３
１０ａ年の体積−１０ａ−１年の体積＝３．５４６×１０３ａ×１０５２ｍ３−（３．５４６×１０３ａ×１０４９ｍ３）＝３．５４６×１０３ａ×１０４９×（１０００−１）ｍ３＝３．５４６×１０３ａ×１０４９×９９９＝３．５４２×１０３ａ×１０５２ｍ３
例えば、１０−１６ｍの時代の１０８歳の宇宙の球体の体積は、
３．５４２×１０３ａ×１０５２ｍ３＝３．５４２×１０３×８×１０５２ｍ３＝３．５４２×１０７６ｍ３です。
・宇宙の時代の全体の原子数は、その時代の１ｍ３の原子数×その時代の球体の体積で理解できる。
１０−１６ｍの時代の全体の原子数＝その時代の１ｍ３の原子数×その時代の球体の体積＝１０１８個×３．５４２×１０７６ｍ３＝３．５４２×１０９４個です。
・宇宙の時代の全体のエネルギーは、その時代の１原子のエネルギー×その時代の全体の原子数で理解できる。
１０−１６ｍの時代の全体のエネルギー＝その時代の１原子のエネルギー×その時代の全体の原子数＝１．５８×１０−４Ｊ×３．５４２×１０９４個＝５．５９６×１０９０Ｊです。
これらの事から、宇宙の過去と未来の様子を表にする。
2008079498.tif 000016
２８．宇宙の時代を電子のラブの公転軌道で表した場合、時代の原子が集まってできるものは何か。
・１０−１７ｍの時代、原子のＡは、Ａ＝１．０５８×１０−１０ｍ÷１０−１７ｍ＝１．０５８×１０７です。
これは、中心が太陽の質量の何倍のクエーサーのＡか。β倍の質量だとしますと、
クエーサーのＡ＝４．３２５×１０４×β１／３ですから、
１．０５８×１０７＝４．３２５×１０４×β１／３
β１／３＝１．０５８×１０７÷（４．３２５×１０４）＝２．４４６×１０２
β＝（２．４４６×１０２）３＝１．４６３×１０７
１０−１７ｍの時代、原子が集まって、中心が太陽の質量の１．４６３×１０７倍のクエーサーができる。
・１０−１６ｍの時代、原子のＡは、Ａ＝１．０５８×１０−１０ｍ÷１０−１６ｍ＝１．０５８×１０６です。
これは、中心が太陽の質量の何倍のクエーサーのＡか。β倍の質量だとしますと、
クエーサーのＡ＝４．３２５×１０４×β１／３ですから、
１．０５８×１０６＝４．３２５×１０４×β１／３
β１／３＝１．０５８×１０６÷（４．３２５×１０４）＝２．４４６×１０
β＝（２．４４６×１０）３＝１．４６３×１０４
１０−１６ｍの時代、原子が集まって、中心が太陽の質量の１．４６３×１０４倍のクエーサーができる。
・１０−１５ｍの時代、原子のＡは、Ａ＝１．０５８×１０−１０ｍ÷１０−１５ｍ＝１．０５８×１０５です。
これは、中心が太陽の質量の何倍の星のＡか。α倍の質量だとしますと、
α＝１．０５８×１０５÷太陽の中心のＡ＝１．０５８×１０５÷（３．８７２×１０３）＝２．７３２×１０
１０−１５ｍの時代、原子が集まって、中心が太陽の質量の２．７３２×１０倍の星ができる。
・１０−１４ｍの時代、原子のＡは、Ａ＝１．０５８×１０−１０ｍ÷１０−１４ｍ＝１．０５８×１０４です。
これは、中心が太陽の質量の何倍の星のＡか。α倍の質量だとしますと、
α＝１．０５８×１０５÷太陽の中心のＡ＝１．０５８×１０５÷（３．８７２×１０４）＝２．７３２
１０−１４ｍの時代、原子が集まって、中心が太陽の質量の２．７３２倍の星ができる。
２９．ジェットが当たった時、その場にできるものは何か。
１０−１７ｍの時代、ジェットが当たった場にできるものはクエーサーの中心です。
１０−１６ｍの時代、ジェットが当たった場にできるものは星です。
１０−１５ｍの時代、ジェットが当たった場にできるものは小惑星です。
ジェットが当たった場に有った原子のＡがどれぐらいであるかによって、できるものが異なる。
・１０−１７ｍの時代、ジェットが当たった場に有った原子は、１０−１６ｍの原子だとする。
１０−１６ｍの原子が集まって、中心が太陽の質量の１．４６３×１０４倍のクエーサーができることになります。
しかし、この場の１ｍ３の原子数は１０１８個なので、１０−１５ｍの場の原子濃度の１０３倍なので、クエーサーの質量も１０３倍になり、中心が太陽の質量の１．４６３×１０５倍のクエーサーができることになります。
・１０−１６ｍの時代、ジェットが当たった場に有った原子は、１０−１５ｍの原子だとする。
１０−１５ｍの原子が集まって、中心が太陽の質量の２．７３２×１０倍の星ができることになります。
・１０−１５ｍの時代、ジェットが当たった場に有った原子は、１０−１４ｍの原子だとする。
１０−１４ｍの原子が集まって、中心が太陽の質量の２．７３２倍の星ができることになります。
しかし、この場の１ｍ３の原子数は１０１２個なので、質量は１０００分の１になり、星はできず小惑星ができる。
・１０−１４ｍの時代、ジェットが当たった場に有った原子は、１０−１３ｍの原子だとする。
１０−１３ｍの原子が集まって、中心が太陽の質量の０．２７３２倍の惑星ができることになります。
しかし、この場の１ｍ３の原子数は１０９個なので、質量は１０６分の１になり、惑星はできず小惑星ができる。
３０．棒渦巻銀河はどのようにできたか。
１０−１６ｍの時代、ジェットが当たった場にできるものは星です。
棒渦巻銀河の外側の星はこのようにできた。
棒渦巻銀河はつぎのようにできた。
１０−１６ｍの時代、中央のブラックホールから噴出する範囲の原子が集められたので、その範囲には原子が存在しない。中央部の電子のラブの公転軌道が縮小し、ジェットは更に遠くまで届き、その場の“ブラックホールの素子”を集め、原始星を作った。原始星は星に成った。
この事によって、棒渦巻銀河は１０−１６ｍのジェットによりできた事が理解できる。
【発明の効果】
【０００６】次の事が理解できた。
１．１０−１７ｍの時代を、“超ブラックホールの素子”の時代として認識できた。
これによって、宇宙のボイドを作った素子が理解できた。
２．“超ブラックホール体”の中央の質量も、クエーサーと同じように、“超ブラックホール体”でできたジェットが届く範囲の原子が集められた。それによって、中心部の電子のラブの公転軌道が収縮し、エネルギーが大きくなり、ジェットが届く球体が更に大きくなり、更に多くの原子が集められた。この事が続き、“超ブラックホール体”の質量が増加する。
３．太陽の質量のα倍の星の中心のＡは、太陽の中心のＡ×αです。
４．太陽の質量のβ倍のクエーサーや銀河の中心のＡは、
クエーサーのＡ＝太陽の中心のＡ×１１．１７×β１／３です。
クエーサーのＡ＝４．３２５×１０４×β１／３です。
５．星の生成は６段階に分けて考えられる。
６．原子核において、中性子の数が陽子の数より多いのは、星の中心で、２重構造の内側のエネルギーが外側のエネルギーより大きいので、内側によりたくさんの中性子が存在できるからです。
７．オールト雲は、太陽の先祖の第１世代の原始星生成の時にできた。半径１．１２６×１０１１Ｋｍの所に存在する、数１０億歳の宇宙でできた小惑星です。
８．太陽の１００倍の質量の星が爆発した後にできるものは、“超ブラックホール”です。
９．楕円銀河ができたのは、ブラックホールの素子の時代＝１０−１６ｍの時代、太陽の質量の１００倍の星ができ、太陽の質量の１０倍の星ができ、それらが集まってできた。
１０．Ａの場合。１０−１６ｍの時代、ボイドを作った“超ブラックホール体”から離れた場ほど、１ｍ３の原子数は少なくなる。
ｍ３の原子数を軌道として表すと、軌道でできるクエーサーや星の質量は限定される。
２×１０２３個の軌道で、太陽の質量の１０９倍のクエーサーができる。
２×１０１６個の軌道で、太陽の質量の１００倍の星ができる。
１１．１０−１６ｍの時代から１０−１５ｍの時代になると、宇宙は１０倍に拡大し、エネルギーは１／１０になる。
宇宙は加齢と共に、電子のラブの軌道は大きくなり、エネルギーは減少する。銀河は拡大し、エネルギーは減少する。
１２．Ｂの場合。１０−１５ｍの時代、１ｍ３の原子数１０１５個です。１０−１６ｍの時代、１ｍ３の原子数は１０１８個です。１０−１４ｍの時代、１ｍ３の原子数は１０１２個です。
１３．１０−１５ｍの時代、太陽の質量のα倍の星は、半径は６．６×１０１０×α１／３Ｋｍで、体積は１．２×１０４２×αｍ３の原子を集めてできた。
１４．１０−１６ｍの時代、太陽の質量のβ倍のクエーサーは、半径は６．６×１０９×β１／３Ｋｍで、体積は１．２×１０３９×βｍ３の原子を集めてできた。
１５．太陽は、中性子星のジェットが届く範囲の原子が集められてできたと考えられる。
１６．ジェットの届く距離＝電子のラブのエネルギー×１．８６３×１０１８Ｋｍです。
１７．クエーサーの生成は、初め、ブラックホールでできるジェット噴射が届く範囲の原子が集められ、中心部の電子のラブや陽子のラブの公転軌道が縮小する事によりエネルギーは大きくなり、ジェット噴射はより遠くまで届くようになる。そして、たくさんの原子が集まる。その結果、中心部の電子のラブや陽子のラブの公転軌道が更に縮小する事によりエネルギーは大きくなり、ジェット噴射は更により遠くまで届くようになる。そして、更にたくさんの原子が集まる。このように、中心部の質量は、太陽の質量の１０４倍→１０５倍→１０６倍→１０７倍→１０８倍→１０９倍と増加する。
１８．宇宙の未来は、電子のラブの公転軌道は大きくなり、エネルギーは減少する。
全体の原子数は変わらず、全体のエネルギーは減少する。１ｍ３の原子数は減少する。
１９．１０−１６ｍの時代、原子が集まって、中心が太陽の質量の１．４６３×１０４倍のクエーサーができる。
１０−１６ｍの時代、原子が集まって、中心が太陽の質量の１．４６３×１０４倍のクエーサーができる。
１０−１５ｍの時代、原子が集まって、中心が太陽の質量の２．７３２×１０倍の星ができる。
１０−１４ｍの時代、原子が集まって、中心が太陽の質量の２．７３２倍の星ができる。
２０．１０−１７ｍの時代、ジェットが当たった場にできるものはクエーサーの中心です。
１０−１６ｍの時代、ジェットが当たった場にできるものは星です。
１０−１５ｍの時代、ジェットが当たった場にできるものは小惑星です。
２１．棒渦巻銀河の生成は、次のようです。１０−１６ｍの時代、中央のブラックホールから噴出する範囲の原子が集められ、その範囲には原子が存在しない。中央部の電子のラブの公転軌道が縮小し、ジェットは更に遠くまで届き、その場の“ブラックホールの素子”を集め、原始星を作った。原始星は星に成った。
【図面の簡単な説明】
【０００７】
【図１】ブラックホールの素子の時代＝電子のラブの公転軌道が１０−１６ｍの時代の宇宙。電子のラブの公転軌道が１０−１６ｍの時代の宇宙において、１ｍ３の原子数が２×１０２３個の軌道において、太陽の質量の１０９倍のクエーサーができた。１ｍ３の原子数が２×１０２２個の軌道において、太陽の質量の１０８倍のクエーサーができた。１ｍ３の原子数が２×１０２１個の軌道において、太陽の質量の１０７倍のクエーサーができた。１ｍ３の原子数が２×１０２０個の軌道において、太陽の質量の１０６倍のクエーサーができた。１ｍ３の原子数が２×１０１６個の軌道において、太陽の質量の１００倍の星ができた。１ｍ３の原子数が２×１０１５個の軌道において、太陽の質量の１０倍の星ができた。１ｍ３の原子数が２×１０１４個の軌道において、太陽の質量の星ができた。ブラックホールの場においてできた星は、集まり、楕円銀河を作った。１０−１６ｍの時代、宇宙は、軌道を作っていた。その軌道は、原子数の密度で表現できる。宇宙の中央ほど原子の密度は大きくなる。中央から離れるほど原子の密度は小さくなる。原子の密度を１ｍ３の原子数で表示する。
【図２】時代が変わるとエネルギーは変わる。１０−１６ｍの時代から１０−１５ｍの時代になると、エネルギーは１／１０になる。１０−１６ｍの時代、中心部が太陽の質量の１０９倍のクエーサーは、１０−１５ｍの時代になると、中心部が太陽の質量の１０８倍のクエーサーになる。１０−１６ｍ時代の原子密度が１０２３個／ｍ３の軌道は、１０−１５ｍ時代の原子密度が１０２２個／ｍ３の軌道になる。１０−１６ｍの時代、中心部が太陽の質量の１０８倍のクエーサーは、１０−１５ｍの時代になると、中心部が太陽の質量の１０７倍のクエーサーになる。１０−１６ｍ時代の原子密度が１０２２個／ｍ３の軌道は、１０−１５ｍ時代の原子密度が１０２１個／ｍ３の軌道になる。
【図３】１０−１６ｍの時代、どこでも、１ｍ３に原子は１０１８個存在したとする。太陽の質量の１０９倍のクエーサーは、半径６．６×１０１２Ｋｍの原子を集めた。太陽の質量の１０８倍のクエーサーは、半径３．０６４×１０１２Ｋｍの原子を集めた。太陽の質量の１０７倍のクエーサーは、半径１．４２２×１０１２Ｋｍの原子を集めた。太陽の質量の１００倍の星は、半径３．０６４×１０１０Ｋｍの原子を集めた。太陽の質量の１０倍の星は、半径１．４２２×１０１０Ｋｍの原子を集めた。太陽の質量の星は、半径６．６×１０９Ｋｍの原子を集めた。太陽の質量の１００倍の星、太陽の質量の１０倍の星、太陽の質量の星、等は集まり、楕円銀河になった。
【図４】太陽の質量の１０９倍のクエーサーができるとき、Ａの考えでは、ブラックホールのＡは７．３７８×１０５で、ジェットは半径１．１２６×１０１１Ｋｍまで届き、体積が５．９７７×１０４２ｍ３の範囲の原子を集める。この場の１ｍ３の原子数は２×１０２３個です。太陽の質量の１０９倍のクエーサーができるとき、Ｂの考えでは、Ａは４．３２５×１０７で、半径６．６×１０１２Ｋｍまで届き、体積が１．２×１０４８ｍ３の範囲の原子を集める。この場の１ｍ３の原子数は１０１８個です。太陽の質量の１０９倍のクエーサーができるとき、Ｃの考えでは、ブラックホールのＡは７．３７８×１０５で、半径１．１２６×１０１１Ｋｍまで届き、体積が５．９７７×１０４２ｍ３の範囲の原子を集める。この場の１ｍ３の原子数は１０１８個です。太陽の質量の５．９７７×１０３倍のクエーサーができる。太陽の質量の５．９７７×１０３倍のクエーサーができると、中心部の電子は公転軌道が小さくなり、エネルギーは大きくなる。それで、ジェットが届く距離も大きくなる。ジェットが届く距離が大きくなると、その球体から更に原子が集められ、クエーサーの原子数は増加する。中心部の原子数も増加する。クエーサーの中心部の原子数は、太陽の質量の１０４倍→太陽の質量の１０５倍→太陽の質量の１０６倍→太陽の質量の１０７倍→太陽の質量の１０８倍→太陽の質量の１０９倍と増加する。
【図５】棒渦巻銀河の生成は、次のようです。１０−１６ｍの時代、中央のブラックホールからジェットが噴出する範囲の原子が集められ、その範囲には原子が存在しない。中央部の電子のラブの公転軌道が縮小し、ジェットは更に遠くまで届き、その場の“ブラックホールの素子”を集め、原始星を作った。原始星は星に成った。
【図６】原子核の中性子の数が陽子の数より多い理由は、星の中央において、２重構造の中性子の内側の軌道のほうが外側の軌道よりエネルギーが大きいので、内側の軌道に存在する中性子の数は、外側の軌道に存在する中性子の数より多く存在できるためです。
【符号の説明】
【０００８】１  “超ブラックホール体”
２  ４×１０−１７ｍの時代
３  １０−１６ｍの時代
４  １ｍ３の原子数が２×１０２３個の軌道
５  １ｍ３の原子数が２×１０２２個の軌道
６  １ｍ３の原子数が２×１０２１個の軌道
７  １ｍ３の原子数が２×１０１６個の軌道
８  １ｍ３の原子数が２×１０１５個の軌道
９  １ｍ３の原子数が２×１０１４個の軌道
１０  太陽の質量の１０９倍のクエーサー
１１  太陽の質量の１０８倍のクエーサー
１２  太陽の質量の１０７倍のクエーサー
１３  太陽の質量の１００倍の星
１４  太陽の質量の１０倍の星
１５  太陽の質量の星
１６  １０−１６ｍ時代にできた星が集まり、楕円銀河になる。
１７  １０−１６ｍ時代
１８  １０−１５ｍ時代
１９  １０−１４ｍ時代
２０  中心部が太陽の質量の１０９倍のクエーサー
２１  中心部が太陽の質量の１０８倍のクエーサー
２２  中心部が太陽の質量の１０７倍のクエーサー
２３  中心部が太陽の質量の１０６倍のクエーサー
２４  中心部が太陽の質量の１０５倍のクエーサー
２５  １０−１６ｍ時代の原子密度が１０２３個／ｍ３の軌道
２６  １０−１６ｍ時代の原子密度が１０２２個／ｍ３の軌道
２７  １０−１６ｍ時代の原子密度が１０２１個／ｍ３の軌道
２８  １０−１５ｍ時代の原子密度が１０２２個／ｍ３の軌道
２９  １０−１５ｍ時代の原子密度が１０２１個／ｍ３の軌道
３０  １０−１５ｍ時代の原子密度が１０２０個／ｍ３の軌道
３１  １０−１４ｍ時代の原子密度が１０２１個／ｍ３の軌道
３２  １０−１４ｍ時代の原子密度が１０２０個／ｍ３の軌道
３３  １０−１４ｍ時代の原子密度が１０１９個／ｍ３の軌道
３４  １０−１６ｍの時代、どこでも、１ｍ３に原子は１０１８個存在した。
３５  中心のブラックホール
３６  ジェットが届く半径
３７  ブラックホールのＡは７．３７８×１０５で、ジェットは半径１．１２６×１０１１Ｋｍまで届く。
３８  Ａは４．３２５×１０７で、ジェットは半径６．６×１０１２Ｋｍまで届く。
３９  １０−１６ｍの時代、中央のブラックホールから噴出する範囲の原子が集められ、その範囲には原子が存在しない。
４０  中央部の電子のラブの公転軌道が縮小し、ジェットは更に遠くまで届きその場に原始星ができた。
４１  原始星
４２  星の中央において、２重構造の内側の軌道に中性子の数は多い。
４３  星の中央において、２重構造の外側の軌道に中性子の数は少ない。
【図１】
2008079498.tif 000032
【図２】
2008079498.tif 000033
【図３】
2008079498.tif 000034
【図４】
2008079498.tif 000035
【図５】
2008079498.tif 000036
【図６】
2008079498.tif 000037